(57)【要約】      （修正有）【課題】少なくとも２つの物体を共に解放可能に取り付けるための磁気取り付け機構及び方法を提供する。【解決手段】磁気取り付けシステムは、電子デバイス２２の側部における磁気面２４として実施される。磁気面は、互いに近くに置かれた場合に、物品２０の対応する取り付け特徴部と共同できる磁界を提供する。磁界は、係合面に沿って物品２０と電子デバイス２２との間の正味磁気引力が係合面に実質的に直交するような特性を有する。【選択図】図２Ａ
2015111427.tif 000002
【特許請求の範囲】
【請求項１】
関連する磁気取り付け特徴部をそれぞれが有する個別の第１電子デバイスと個別の第２電子デバイスとを少なくとも共に磁気で取り付けるための磁気取り付けユニットであって、磁気で取り付けられた電子デバイスは、共同電子システムを形成するように磁気で取り付けられた場合に互いに通信し、前記磁気取り付けユニットは、
第１側と、前記第１側とは反対の第２側とを有する本体と、
前記本体の第１側において、前記第１電子デバイスの対応する磁気取り付け特徴部を有効化するための第１有効化力を与えるように構成された第１磁石を少なくとも有する第１磁気取り付けシステムと、
前記本体の第２側において、前記第２電子デバイスの対応する磁気取り付け特徴部を有効化するための第２有効化力を与えるように構成された第２磁石を少なくとも有する第２磁気取り付けシステムとを備え、
前記有効化した第１磁気システム及び前記有効化した第２磁気システムと前記磁気取り付けユニットの対応する磁石との間に生成された磁気取り付け力の結果として、前記個別の第１電子デバイスと前記個別の第２電子デバイスとが共同する電子デバイスとして共に動作可能になることを特徴とする磁気取り付けユニット。
【請求項２】
前記本体のほぼ全てが可撓性を有することを特徴とする請求項１に記載の磁気取り付けユニット。
【請求項３】
前記本体は、
前記第１電子デバイスと前記第２電子デバイスとの間の通信チャネルと、処理リソースとを少なくとも与えるように構成された電子回路と、
データを格納するように構成されたデータストレージユニットとを更に有することを特徴とする請求項１又は２に記載の磁気取り付けユニット。
【請求項４】
前記データストレージユニットは、前記共同する電子デバイスによって実行されるプログラムコードを格納することを特徴とする請求項３に記載の磁気取り付けユニット。
【請求項５】
前記データストレージユニットは、前記共同する電子デバイスによる出力のための、前記電子回路の少なくとも一部によって実行されるプログラムコードを格納することを特徴とする請求項３に記載の磁気取り付けユニット。
【請求項６】
前記共同する電子デバイスは電子書籍であることを特徴とする請求項１乃至５の何れか１項に記載の磁気取り付けユニット。
【請求項７】
前記本体は、
前記第１磁気取り付けシステムを組み込む第１部分と、
前記第２磁気取り付けシステムを組み込む第２部分と、
前記第１電子デバイスと前記第２電子デバイスとが可撓性部分に対して互いに独立に旋回するように前記第１部分及び前記第２部分に取り付けられた前記可撓性部分とを更に備えることを特徴とする請求項１に記載の磁気取り付けユニット。
【請求項８】
前記第１部分及び前記第２部分はそれぞれ、剛性材料で形成されることを特徴とする請求項７に記載の磁気取り付けユニット。
【請求項９】
前記可撓性部分はクラッチアセンブリであることを特徴とする請求項８に記載の磁気取り付けユニット。
【請求項１０】
前記クラッチアセンブリは、前記第１電子デバイスと前記第２電子デバイスとを約９０°離れた位置に固定するように構成されたロッククラッチアセンブリであることを特徴とする請求項９に記載の磁気取り付けユニット。
【請求項１１】
ホストユニットに取り外し可能に接続されたヒンジアセンブリと、
前記ホストユニットに従うサイズ及び形状を有するヒンジアセンブリに旋回可能に取り付けられたカバーアセンブリとを備えるカバーアセンブリであって、前記カバーアセンブリは、
第１旋回軸において前記ヒンジ部に旋回可能に取り付けられたカバー部と、
前記第１旋回軸とは異なる第２旋回軸において前記ヒンジ部に旋回可能に取り付けられた前記カバー部から分離したフラップ部とを備え、
前記フラップ部に対して傾斜した角度で前記ホストデバイスを支持する支持構造体を前記カバーが形成するように前記カバー部及び前記フラップ部がそれぞれの旋回中心の周りを回転することを特徴とするカバーアセンブリ。
【請求項１２】
前記フラップ部は、
電子回路と、
前記電子回路と前記ホストユニットとの間に通信チャネルを与えるように構成された通信リンクとを有することを特徴とする請求項１１に記載のカバーアセンブリ。
【請求項１３】
前記通信リンクは有線接続であることを特徴とする請求項１２に記載のカバーアセンブリ。
【請求項１４】
前記通信リンクは無線接続であることを特徴とする請求項１２に記載のカバーアセンブリ。
【請求項１５】
前記ホストデバイスは、視覚コンテンツの提示のために構成されたディスプレイを更に有することを特徴とする請求項１４に記載のカバーアセンブリ。
【請求項１６】
前記支持構造体は三角形の形状であり、前記ホストデバイスのディスプレイを水平方向にある前記フラップ部から約７５°の角度に配置するために用いられることを特徴とする請求項１４に記載のカバーアセンブリ。
【請求項１７】
前記フラップ部は可撓性材料で形成されることを特徴とする請求項１６に記載のカバーアセンブリ。
【請求項１８】
前記可撓性材料はファブリックであることを特徴とする請求項１７に記載のカバーアセンブリ。
【請求項１９】
前記カバーアセンブリは、前記ファブリックに組み込まれたユーザ入力デバイスを更に有することを特徴とする請求項１８に記載のカバーアセンブリ。
【請求項２０】
前記ユーザ入力デバイスは、キーボード入力デバイスであることを特徴とする請求項１９に記載のカバーアセンブリ。
【請求項２１】
前記ユーザ入力デバイスは、タッチパッド入力デバイスであることを特徴とする請求項１９に記載のカバーアセンブリ。
【請求項２２】
エンドユーザが前記ユーザ入力デバイスを用いて前記ホストデバイスへ情報を与え、前記エンドユーザに与えられた情報に応じた視覚情報を前記ディスプレイで受け取ることを特徴とする請求項１９に記載のカバーアセンブリ。
【請求項２３】
前記ホストデバイスは、タブレットコンピュータであることを特徴とする請求項１１に記載のカバーアセンブリ。
【請求項２４】
ホストデバイスを支持するように構成されたベース部を備えるドッキングステーションであって、
前記ベース部は、
前記ホストデバイスと前記ベース部とを取り外し可能に固定するように構成された取り付けユニットと、
ユーザ入力イベントを受けるように構成されたユーザ入力部と、
前記ホストデバイスと前記ベース部の前記ユーザ入力部との間に通信パスを与えるように構成された通信ポートとを備え、
前記ユーザ入力部における前記ユーザ入力イベントに関連する情報は、前記通信ポートによって与えられる前記通信パスを用いて前記ホストデバイスに渡されることを特徴とするドッキングステーション。
【請求項２５】
前記取り付けユニットは、機械式クリップであることを特徴とする請求項２４に記載のドッキングステーション。
【請求項２６】
前記取り付けユニットは、前記ホストデバイスと前記ベース部とを取り外し可能に固定するために前記ベース部の一部を磁気で引き付けるように構成された磁気取り付け特徴部を有することを特徴とする請求項２４に記載のドッキングステーション。
【請求項２７】
前記ホストデバイスの背面として前記ホストデバイスを支持するように構成された背部支持構造体と、
前記ベース部及び前記背部支持構造体に旋回可能に接続したヒンジアセンブリとを更に備えることを特徴とする請求項２４に記載のドッキングステーション。
【請求項２８】
クランプ部と、
前記ドッキングステーションに回転可能に接続された連接型アーマチュアとを更に備えることを特徴とする請求項２７に記載のドッキングステーション。
【請求項２９】
前記背部支持構造体は、前記背部支持構造体を表面に取り付けるように構成された取り付け特徴部を有することを特徴とする請求項２７に記載のドッキングステーション。
【請求項３０】
前記取り付け特徴部は吸着カップであることを特徴とする請求項２９に記載のドッキングステーション。
【請求項３１】
前記取り付け特徴部は磁石であることを特徴とする請求項２９に記載のドッキングステーション。
【請求項３２】
前記取り付け特徴部は、支持構造体に留まるように構成された留め具であることを特徴とする請求項２９に記載のドッキングステーション。
【請求項３３】
前記支持構造体はヘッドレストであることを特徴とする請求項３２に記載のドッキングステーション。
【請求項３４】
ホストデバイスに磁気で取り付けられるように構成された磁気取り付け特徴部と、
前記ホストデバイスと前記アクセサリユニットとが互いに磁気で取り付けられた場合に前記ホストデバイスと通信するように構成された電子回路とを備え、
前記電子回路は、前記ホストデバイスに、前記ホストデバイスに前記アクセサリデバイスを磁気で取り付ける前に対応する動作状態を、前記ホストデバイスに磁気で取り付けられている前記アクセサリデバイスに対応する動作状態に変えさせることを特徴とするアクセサリユニット。
【請求項３５】
前記ホストデバイスはタブレットコンピュータであることを特徴とする請求項３４に記載のアクセサリユニット。
【請求項３６】
前記アクセサリデバイスは機械式情報ツールを有することを特徴とする請求項３５に記載のアクセサリユニット。
【請求項３７】
前記機械式情報ツールはスタイラスであることを特徴とする請求項３６に記載のアクセサリユニット。
【請求項３８】
前記スタイラスは前記ホストデバイスに磁気で取り付けられ、前記タブレットコンピュータの動作状態は、エンドユーザが前記スタイラスを前記タブレットコンピュータに当てることに応答するように構成されたスタイラス入力認識モードに変更されることを特徴とする請求項３６に記載のアクセサリユニット。
【請求項３９】
前記機械式情報ツールはキーボードであることを特徴とする請求項３７に記載のアクセサリユニット。
【請求項４０】
前記アクセサリデバイスは、磁気ストリップが磁気カードリーダのスロットに通された場合に前記磁気ストリップから磁気で符号化された情報を受信するように構成された前記磁気カードリーダであることを特徴とする請求項３４に記載のアクセサリユニット。
【請求項４１】
前記アクセサリユニットは、前記ホストデバイスによって用いられる情報を少なくとも格納するように構成されたデータストレージデバイスであることを特徴とする請求項３４に記載のアクセサリユニット。
【請求項４２】
前記アクセサリデバイスはＲＦ送受信アンテナシステムであることを特徴とする請求項３４に記載のアクセサリユニット。
【請求項４３】
前記アクセサリデバイスはカメラであることを特徴とする請求項３４に記載のアクセサリユニット。
【発明の詳細な説明】
【技術分野】
【０００１】
記載される実施形態は一般にポータブル電子デバイスに関する。より具体的に、本実施形態はポータブル電子デバイスに適した解放可能な取りつけ技術を記載する。
【背景技術】
【０００２】
ポータブルコンピューティングにおける最近の進歩は、カリフォルニア州クパチーノのアップルインクにより製造されるｉＰａｄ（登録商標）タブレットのラインに沿ったハンドヘルド電子デバイス及びコンピューティングプラットフォームの導入を含む。これらのハンドヘルドコンピューティングデバイスは、電子デバイスの実質的な部分が、アクセサリデバイスを取り付けるために用いられうる取り付け機構のために利用可能なわずかなスペースを残して、視覚コンテンツを提示するために用いられるディスプレイの形態をとるように構成されうる。
【０００３】
従来の取り付け技術は一般に、アクセサリデバイスの対応する取り付け特徴部（feature）に係合するための電子デバイスの少なくとも外部からアクセス可能な取り付け特徴部を典型的に必要とする機械的留め具に依存する。外部の取り付け特徴部の存在は、ハンドヘルドコンピューティングデバイスの全体的な見た目を損なうだけでなく、不要な重さ及び複雑さを付加し、さらにはハンドヘルドコンピューティングデバイスの見かけを損ないうる。
【発明の概要】
【発明が解決しようとする課題】
【０００４】
従って、少なくとも２つの物体を共に解放可能に取り付けるための機構が必要となる。
【課題を解決するための手段】
【０００５】
本明細書は、磁気取り付けを用いた共同システムを形成するためのシステム、方法及び装置に関する様々な実施形態を記載する。
【０００６】
共同システムを形成するために第１磁気取り付けシステムを有する第１物体と第２磁気取り付けシステムを有する第２物体とを共に磁気で取り付けるための磁気取り付けユニットが記載される。磁気取り付けユニットは、第１磁気システムを作動させるための第１差動力と第２磁気システムを作動させるための第２差動力とを与えるように構成された磁気取り付けシステムを少なくとも含む。作動した第１磁気システムと作動した第２磁気システムとは、共同する磁気システムを形成するために第１物体と第２物体とを共に解放可能に固定するように磁気取り付けシステムと共同する。
【０００７】
関連する磁気取り付け特徴部をそれぞれが有する少なくとも個別の第１電子デバイスと個別の第２電子デバイスとを共に磁気で取り付けるための磁気取り付けユニットであって、磁気で取り付けられた電子デバイスは、共同電子システムを形成するように磁気で取り付けられた場合に互いに通信する。前記磁気取り付けユニットは、第１側と、前記第１側とは反対の第２側とを有する本体と、前記本体の第１側において、前記第１電子デバイスの対応する磁気取り付け特徴部を有効化するための第１有効化力を与えるように構成された第１磁石を少なくとも有する第１磁気取り付けシステムと、前記本体の第２側において、前記第２電子デバイスの対応する磁気取り付け特徴部を有効化するための第２有効化力を与えるように構成された第２磁石を少なくとも有する第２磁気取り付けシステムとを備え、前記有効化した第１磁気システム及び前記有効化した第２磁気システムと前記磁気取り付けユニットの対応する磁石との間に生成された磁気取り付け力は、前記個別の第１電子デバイスと前記個別の第２電子デバイスとが共同する電子デバイスとして共に動作可能になるようにする。
【０００８】
ホストユニットに取り外し可能に接続されたヒンジアセンブリと、前記ホストユニットに従うサイズ及び形状を有するヒンジアセンブリに旋回可能に取り付けられたカバーアセンブリとを備えるカバーアセンブリが記載される。前記カバーアセンブリは、第１旋回軸において前記ヒンジ部に旋回可能に取り付けられたカバー部と、前記第１旋回軸とは異なる第２旋回軸において前記ヒンジ部に旋回可能に取り付けられた前記カバー部から分離したフラップ部とを備え、前記フラップ部に対して傾斜した角度で前記ホストデバイスを支持する支持構造体を前記カバーが形成するように前記カバー部及び前記フラップ部がそれぞれの旋回中心の周りを回転する。
【０００９】
ドッキングステーションはホストデバイスを支持するように構成されたベース部を少なくとも備え、前記ベース部は、前記ホストデバイスと前記ベース部とを取り外し可能に固定するように構成された取り付けユニットと、ユーザ入力イベントを受けるように構成されたユーザ入力部と、前記ホストデバイスと前記ベース部の前記ユーザ入力部との間に通信パスを与えるように構成された通信ポートとを備え、前記ユーザ入力部における前記ユーザ入力イベントに関連する情報は、前記通信ポートによって与えられる前記通信パスを用いて前記ホストデバイスに渡される。
【００１０】
本発明の他の側面及び利点は、記載される実施形態の原理を例示の方法で説明する添付の図面と合わせて解釈される以下の詳細な説明から明らかになるだろう。
【００１１】
本発明は添付の図面と合わせて以下の詳細な説明から容易に理解され、図面では同様の参照符号は同様の構成要素を表す。
【図面の簡単な説明】
【００１２】
【図１】所望の反復可能な方法で互いに解放可能に取り付けられうる物品及び電子デバイスの簡略ブロック図である。
【図２Ａ】１つの記載される実施形態に従う側面磁気取り付けシステムを介して電子デバイスに解放可能に取り付けられうる物品の簡略透視図である。
【図２Ｂ】側面磁気取り付けシステムに従って取り付けられた図２Ａの物品及び電子デバイスを示す図である。
【図３Ａ】１つの記載される実施形態に従う側面磁気取り付けシステムを介して第２電子デバイスに解放可能に取り付けられうる第１電子デバイスの簡略透視図である。
【図３Ｂ】共同する電子システムを形成するために側面磁気取り付けシステムに従って取り付けられた図３Ａの第１電子デバイス及び第２電子デバイスを示す図である。
【図４Ａ】、
【図４Ｂ】磁気取り付けユニット及び対応する磁気システムを介して電子デバイスに解放可能に取り付けられうる物品の簡略透視図である。
【図５Ａ】、
【図５Ｂ】磁気取り付けユニットを介して電子デバイスに解放可能に取り付けられうる電子デバイスの形態の物品の簡略透視図である。
【図６Ａ】記載される実施形態に従う電子デバイス１００の上面透視図を示す。
【図６Ｂ】有効化した磁気取り付け特徴部を示す。
【図７Ａ】、
【図７Ｂ】共同するシステムを形成するために電子デバイスを磁気で取り付けるために用いられる磁気取り付けユニットを示す。
【図８Ａ】、
【図８Ｂ】、
【図８Ｃ】適切に構成された磁気取り付けシステムを有する物体に電子デバイスを磁気で取り付けるために用いられうる磁気取り付けユニットの様々な実施形態を示す図である。
【図９】開いた形態の可撓性を有する磁気取り付けユニットを介してタブレットデバイスとタブレットデバイスとを磁気で取り付けることによって形成される構成を説明する図である。
【図１０】互いに折り重なるように可撓性を有する接続部材の可撓性をタブレットデバイスが使用する閉じた形態の構成を示す図である。
【図１１Ａ】、
【図１１Ｂ】磁気取り付けユニットを介して互いに磁気で取り付けられたタブレットデバイスを示す図である。
【図１２Ａ】、
【図１２Ｂ】、
【図１２Ｃ】磁気取り付けユニットを介して一緒に接続されたタブレットデバイスを示す図である。
【図１３】タブレットアレイを形成するようにタブレットデバイスを磁気で取り付ける磁気取り付けユニットを示す図である。
【図１４Ａ】、
【図１４Ｂ】実施形態に従うシステムの断面図を示す。
【図１５】、
【図１６】、
【図１７】カバーアセンブリのフラップ部の様々な実施形態を示す図である。
【図１８Ａ】、
【図１８Ｂ】、
【図１８Ｃ】、
【図１８Ｄ】記載される実施形態に従う固定型の磁気ドッキングステーションを示す図である。
【図１９Ａ】、
【図１９Ｂ】記載される実施形態に従う旋回型の磁気ドッキングステーションを示す図である。
【図２０Ａ】、
【図２０Ｂ】、
【図２０Ｃ】、
【図２０Ｄ】、
【図２０Ｅ】、
【図２０Ｆ】記載される実施形態に従う様々な吊り下げアクセサリを示す図である。
【図２１Ａ】、
【図２１Ｂ】記載される実施形態に従う追加の吊り下げアクセサリを示す図である。
【図２２Ａ】記載される実施形態に従う乗り物取付け具を示す図である。
【図２２Ｂ】説明された実施形態に従うトレッドミル取付け具を示す図である。
【図２３Ａ】、
【図２３Ｂ】、
【図２３Ｃ】、
【図２３Ｄ】、
【図２３Ｅ】、
【図２３Ｆ】、
【図２３Ｇ】、
【図２３Ｈ】記載される実施形態に従う様々なアクセサリを示す図である。
【図２４】記載される実施形態に従う旅行ケースを示す図である。
【図２５Ａ】、
【図２５Ｂ】電磁気解放機構を示す図である。
【図２６Ａ】、
【図２６Ｂ】、
【図２６Ｃ】電子デバイスの動作状態を変えるハンドフリーアプローチを示す図である。
【図２７Ａ】、
【図２７Ｂ】ハンズフリー放出の実施形態を示す図である。
【図２８Ａ】、
【図２８Ｂ】磁気ウィンドウの実施形態を示す図である。
【図２９Ａ】、
【図２９Ｂ】磁気取り付け特徴部の別の実施形態を示す図である。
【図３０Ａ】、
【図３０Ｂ】図２９Ａ及び図２９Ｂの磁気取り付け特徴部の更に別の実施形態を示す図である。
【図３１Ａ】、
【図３１Ｂ】、
【図３１Ｃ】磁気取り付け情報を提供するように構成された図３０Ａ及び図３０Ｂの磁気取り付け特徴部を示す図である。
【図３２Ａ】第１タイプ情報を提供する図３１Ａ〜図３１Ｃの磁気取り付け特徴部の各磁気素子の実施形態を示す図である。
【図３２Ｂ】第２タイプ情報を提供する図３１Ａ〜図３１Ｃの磁気取り付け特徴部の各磁気素子の実施形態を示す図である。
【図３３】図３１Ａ及び図３１Ｂの磁気取り付け特徴部により提供される情報に従う各取り付け状態の表を示す図である。
【図３４】ポータブルメディアデバイスにより利用される機能モジュールの構成のブロック図である。
【図３５】説明される実施形態を用いるのに適した電子デバイスのブロック図である。
【発明を実施するための形態】
【００１３】
添付の図面に説明される代表的な実施形態が以下に詳細に参照される。以下の記載は複数の実施形態を１つの好適な実施形態に限定する意図がないことが理解されるべきである。反対に、添付の特許請求の範囲で規定されるように、記載される実施形態の精神及び範囲内に含まれうる変形、修正及び均等物をカバーすることが意図される。
【００１４】
以下の記載は一般に、少なくとも２つの適切に構成された物体を共に取り付けるために用いられうる機構に関する。１つの実施形態では、これは従来の留め具を用いることなく実現されうる。物体のそれぞれは、適切な特性を有する磁界を提供するように構成された取り付け特徴部を含みうる。取り付け特徴部が互いに近くにもたらされた場合に、磁界はそれぞれの特性に基づいて共同して相互作用でき、結果として物体が所望の反復可能な方法で互いに磁気で取り付けられうる。例えば、磁界の相互作用の共同特性に少なくとも部分的に起因して、物体は外部からの介入なしに事前に決められた位置及び相対的方向に互いに取り付けうる。例えば、共同磁気相互作用の結果として、物体は所望の方向に自己アライメント及び自己センタリングされうる。
【００１５】
正味磁気引力全体に打ち勝つのに十分な強さの解放力が印加されるまで物体は磁気で取り付けられた状態に留まりうる。しかしながら、一部の場合に、物体を（ジッパのラインに沿って）連続的に取り外すことが望ましく、この場合に、解放力は、一度に磁気素子の１つのペアの正味磁気引力に打ち勝つのに十分な強さだけが必要になる。物体を取り付けるために機械式留め具のようなコネクタは必要とならない。さらに、磁気取り付け特徴部間の磁気相互作用への不要な干渉を避けるために、磁気取り付け特徴部の近くにある物体の少なくとも一部は、プラスチックや、アルミニウム又は非磁気ステンレススチールのような非鉄金属のような磁気的に不活性な物質で形成されうる。
【００１６】
物体は多くの形態をとってもよく、多くの機能を実行しうる。互いに磁気で取り付けられた場合に、物体は共同するシステムを形成するように互いに通信し、相互作用しうる。共同するシステムは動作を実行し、別個の物体によっては個別に提供できない機能を提供する。別の実施形態では、少なくとも１つのデバイスは、アクセサリデバイスとして用いられうる。アクセサリデバイスは少なくとも１つの電子デバイスに磁気で取り付けられうる。アクセサリデバイスは、電子デバイス（群）の操作性を向上するために用いられうるサービス及び機能を提供できる。例えば、アクセサリデバイスは、電子デバイスに磁気で取り付けられ、電子デバイスを囲みうる保護ケースの形態を取りうる。保護ケースは電子デバイスの（ディスプレイのような）所定の側面への保護だけでなく、電子デバイス全体への保護を提供できる。保護ケースと電子デバイスとを磁気で取り付けるために用いられる磁気取り付け機構は、保護ケースが特定の方向においてのみ電子デバイスに取り付くことができることを保証できる。さらに、磁気取り付け機構はまた、保護ケースと電子デバイスとの適切なアライメント及び位置決めを保証できる。
【００１７】
１つの実施形態では、第１物体が第２物体への支持機構を提供するように構成されうるように、第１物体と第２物体とが互いに磁気で取り付けられうる。支持機構は本質的に機械的でありうる。例えば、第１物体は、テーブルのような作業面に第２物体を支持するために用いられうるスタンドの形態を取りうる。１つの実施形態では、スタンドは、複数の角度及び方向で第２物体を提示するように構成された連接型スタンドの形態を取りうる。
【００１８】
１つの実施形態では、第１物体は、特定の方法で第２物体に磁気で取り付くように構成されたドックの形態を取りうる。第２物体が電子デバイスである場合にドックは本質的に電子機器でありうる。ドックは、外部電源から電子デバイスへ電力を提供できる電気接点を提供できる。電気接点はまた、電子デバイスへ情報が提供されうるだけでなく、電子デバイスから情報が提供されうる機構を提供できる。例えば、ドックは、電子デバイスから受信したオーディオ信号に基づいて音を広めるように構成されたスピーカのようなオーディオ出力デバイスを含みうる。
【００１９】
１つの実施形態では、第１物体は吊り下げ装置の形態を取りうる。このようなものとして、第１物体は第２物体を吊り下げるために用いられてもよく、その後第２物体は、写真、美術品等のような視覚的な静止画像のような視覚コンテンツを提示するためのディスプレイとして用いられうる。支持機構はまた、第２物体を便利に掴む又は保持するための持ち手として用いられうる。この構成は、第２物体が画像（静止画又はビジュアル）、（電子書籍におけるような）テキストのような視覚コンテンツを提示できる場合や、静止又はビジュアルカメラのような画像撮像デバイスとして第２物体が用いられ、三脚又は持ち手のような支持体として第１物体が機能するように構成されうる場合に特に有用でありうる。持ち手は固定式であってもよいし、可動式であってもよい。１つの実施形態では、吊り下げ装置は、フック、吸着カップ、又は他の任意の適切な吊り下げデバイスの形態を取りうる。例えば、吊り下げ装置は電子デバイスをホワイトボードに固定するために用いられうる。１つの実施形態では、フックの形態の吊り下げ装置は電子デバイスを自動車、飛行機又は電車のシートクッションに固定するために用いられうる。このようにして、電子デバイスは、ディスプレイスクリーンを見るための位置に座る人に視覚コンテンツを提供できる。
【００２０】
１つの実施形態では、第１物体と第２物体とがそれぞれ電子デバイスである場合に第１物体と第２物体との間の取り付けが生じうる。電子デバイスが互いに通信できる共同電子システムを形成するように、電子デバイスは磁気で取り付けられうる。１つの実施形態では、第１電子デバイス及び第２電子デバイスは互いに直接に取り付けられうる。１つの実施形態では、第１電子デバイスと第２電子デバイスとを共に磁気で取り付けるために磁気取り付けユニットが用いられうる。第１電子デバイスと第２電子デバイスとの間の通信は、磁気取り付けが完了する前、磁気取り付けを行っている間、及び磁気取り付けが完了した後に生じうる。
【００２１】
この通信の一部として、第１電子デバイスと第２電子デバイスとの間で情報が渡されうる。情報は、処理の性質に依存して、全体で処理されてもよいし、又は第１電子デバイス又は第２電子デバイスの一方において部分的に処理されてもよい。このようにして、共同電子システムは、磁気で取り付けられ互いに通信する複数の電子デバイスを有することの相乗効果の利点を有しうる。１つの実装では、通信は、Ｂｌｕｅｔｏｏｔｈ（ＢＴ、登録商標）、ＧＳＭ（登録商標）、ＣＤＭＡ、ＷｉＦｉ（登録商標）などのような任意の適切な無線通信プロトコルを用いて無線で実行されうる。
【００２２】
１つの実施形態では、磁気取り付けユニットは、第１電子デバイスと第２電子デバイスとの間で情報を渡しうる。１つの実施形態では、情報は磁気取り付けユニットから提供され、第１電子デバイス及び第２電子デバイスの一方又は両方へ渡されうる。例えば、１つの実施形態では、磁気取り付けユニットは、電子書籍の形態の第１電子デバイス及び第２電子デバイスを取り付けるために用いられうる磁気バインダの形態を取りうる。このようなものとして、少なくとも１つの電子デバイスは、提示される視覚コンテンツに適したディスプレイを有しうる。書籍コンテンツのような情報は、磁気バインダから電子デバイスへ渡されうる。当該情報により、電子デバイスは情報に整合するように動作しうる。
【００２３】
例えば、第１電子デバイス及び／又は第２電子デバイスへ提供された情報が（数学、言語のような）特定の学習チュートリアルに関連する場合に、情報は、電子デバイスの一方又は両方を、チュートリアルに整合するように、例えばレッスンを提示し、ワークシートを提示するように動作させうる。例えば、第１電子デバイスがチュートリアルの主題に整合する視覚コンテンツを提示しつつ、第２電子デバイスが仮想キーボード、タッチ入力などのようなユーザ入力を提示することによってユーザ相互作用を容易にすることができる。
【００２４】
１つの実施形態では、第２電子デバイスは、キーボード、タッチパッド、ジョイスティックなどのような周辺デバイスの形態を取りうる。この実施形態は、第１電子デバイスによって提示されるビデオゲームによく適しうる。１つの実施形態では、磁気取り付けユニットは、ビデオゲームを開始するために必要な情報を格納できるが、別の実施形態では、磁気取り付けユニットはトリガとして機能できる。トリガは、第１電子デバイス及び第２電子デバイスの一方又は両方にあるゲームを開始するように動作する。
【００２５】
１つの実施形態では、共同電子システムは、磁気取り付けユニットを介して互いに強固に取り付けられた電子デバイスアレイの形態を取りうる。磁気取り付けユニットは複数の磁気取り付け特徴部を含みうる。複数の磁気取り付け特徴部のそれぞれは、対応する電子デバイスに含まれる対応する磁気取り付け特徴部と磁気で相互作用できる。１つの実施形態では、電子デバイスのアレイは、（モザイクの線に沿って）単一の統合ディスプレイとして機能できる。別の実施形態では、電子デバイスのアレイは（仮想キーボードのような）単一機能又は機能集合を提供できる。
【００２６】
例として、第１電子デバイス及び第２電子デバイスは、磁気取り付けユニットを介して共に磁気で取り付けられうる。磁気取り付けユニットは磁気システムを含みうる。１つの実施形態では、磁気取り付けユニットは、第１電子デバイス及び第２電子デバイスのそれぞれにおいて磁気取り付けシステムを有効化するためのトリガとして機能しうる。１つの実施形態では、有効化は、磁気システムと磁気取り付けシステムのそれぞれとの間のキーとなる磁気相互作用の結果でありうる。１つの実施形態では、キーとなる磁気相互作用は、磁気システムの磁気素子の配置に基づく特性を有する磁界と、第１電子デバイス及び第２電子デバイスの磁気取り付けシステムとの間の相互作用の形態を取りうる。
【００２７】
１つの実施形態では、磁気取り付けユニットは、曲げ可能であるが頑丈である物質の形態を取りうる。このようにして、第１電子デバイスのディスプレイが約７０°〜７５°の快適な視覚角度でユーザに提示されつつ、第２電子デバイスがテーブルのような支持面に平らのまま留まるように、第１電子デバイスに磁気で取り付けられた磁気取り付けユニットの一部が曲げられうる。このようにして、第２電子デバイスは、共同システムにデータを入力するために用いられうる（仮想キーボード、ＧＵＩなどのような）入力を表示できる。１つの実施形態では、第１電子デバイスは、共同システムの現在の状態に従う視覚コンテンツを提示できる。
【００２８】
例えば、第２電子デバイスは、入力コマンド及び／又はデータを提供するために用いられうる仮想キーボードを提示でき、第１電子デバイス及び第２電子デバイスの磁気取り付けによって共同システムへ提供できる。磁気取り付けユニットが例えば数学チュートリアルに関連する場合に、第１電子デバイス及び第２電子デバイスへ提供される情報は、第１電子デバイスのディスプレイに主題（解くべき数式、問題など）を提示させ、この主題に対して生徒は第２電子デバイスのディスプレイに提示された仮想キーボードを用いて相互作用できる。
【００２９】
これらの実施形態及びその他の実施形態は、図１〜図３５を参照して以下に検討される。しかしながら、これらの図面を参照して本明細書で与えられる詳細な説明は単に例示を目的とし、限定するものとして解釈されるべきではないことを当業者は容易に理解するだろう。この検討の残り部分について、記載される実施形態に従って互いに磁気で取り付くようにそれぞれ適切に構成された第１物体及び第２物体が説明される。しかしながら、任意の個数及び任意のタイプの適切に構成された物体が簡易かつ反復可能な方法で互いに磁気で取り付けられうることが留意されるべきである。特に、簡単及び明確化のために、この検討の残り部分について、第１物体は電子デバイス、特にハンドヘルド電子デバイスの形態を取ると仮定する。
【００３０】
図１は、所望の反復可能な方法で互いに解放可能に取り付けられうる物品１０及び電子デバイス１２の簡略ブロック図である。より具体的に、物品１０及び電子デバイス１２は、外部の干渉なしに、かつ機械式留め具を使用せずに、事前に決定された位置及び相対的方向で互いに取り付きうる。物品１０及び電子デバイス１２は、これらの間の係合に打ち勝つ解放力が印加されるまで、互いに取り付けられたままでありうる。しかしながら、一部の場合に、物品１０と電子デバイス１２とが（ジッパのラインに沿って）連続的に取り外せることが望ましい場合があり、この場合に、物品１０と電子デバイス１２との間の１つの取り付け要素に関する係合を一度に外せる解放力が印加されうる。例えば、取り付け要素は、１つ目が物品１０にあり、２つ目が電子デバイス１２にある適切に適合された磁気素子のペアを含みうる。
【００３１】
電子デバイス１２は多くの形態を取りうる。例えば、電子デバイス１２はポータブル電子デバイスの形態を取りうる。一部の例では、ポータブル電子デバイスは筐体１５を含みうる。筐体１５はポータブル電子デバイスのコンポーネントを囲み、当該コンポーネントへの支持を提供しうる。筐体１５はまた、ポータブル電子デバイスの前面のかなりの部分を占める大型の目立つディスプレイへの支持を少なくとも提供できる。ディスプレイは、視覚コンテンツを提示するために用いられうる。視覚コンテンツは静止画像、ビジュアル、テキストデータ、さらにはグラフィカルユーザインタフェース（ＧＵＩ）の一部として用いられるアイコンを含みうるグラフィカルデータを含みうる。
【００３２】
一部の場合に、ディスプレイの少なくとも一部はタッチセンサでありうる。タッチセンサによって、タッチイベントの最中に、（指、スタイラスなどのような）物体がディスプレイの上面に接触又は近接するように配置されうることが意味される。タッチイベントの細目（位置、圧力、期間など）は、処理のためにポータブル電子デバイスへ情報を提供するために用いられうる。一部の実施形態では、情報がポータブル電子デバイスへ提供されるのに加えて、またはこれに代えて、例えば触覚アクチュエータを用いてタクタイルにポータブル電子デバイスによって情報が提供されうる。しかしながら、電子デバイスは幅広く多様でありうるので、この構成は単なる例示であり、限定とすべきではないことが理解されるべきである。１つの例では、ポータブル電子デバイスは、カリフォルニア州クパチーノのアップルインクによって製造されるｉＰａｄ（登録商標）のようなタブレットコンピュータである。
【００３３】
物品１０は幅広く多様であり、例えば電子デバイス１２のアクセサリ又は付属品のような多くの形態を取りうる。アクセサリとして、物品１０は、カバー、スタンド、ドック、吊り下げ具、入出力デバイスなどとして構成されうる。特に有用な形態では、物品１０は、ポータブル電子デバイスのディスプレイ上に位置しうるフラップのような部材を含みうる保護カバーの形態を取りうる。電子デバイス１２と同様に、物品１０はまた、物品１０のコンポーネントを囲み、当該コンポーネントこれへの支持を提供しうる筐体１７を含みうる。
【００３４】
物品１０及び電子デバイス１２の一方又は両方は、取り付け特徴部を含みうる。例えば、物品１０は取り付けシステム１３を含み、電子デバイス１２は対応する取り付けシステム１４を含みうる。物品１０と電子デバイス１２とを解放可能に取り付けるように、取り付けシステム１３は、対応する取り付けシステム１４と共同できる。互いに取り付けられた場合に、物品１０と電子デバイス１２とは、単一の動作ユニットとして動作できる。他方で、取り外されたモードでは、物品１０及び電子デバイス１２は別々に動作でき、必要ならば、２つの個別の部品として動作できる。取り付けシステム１３、１４は、物品１０と電子デバイス１２とが所望の反復可能な方法で互いに取り付けられるように構成されうる。言い換えると、取り付けシステム１３、１４は、物品１０と電子デバイス１２とが一貫して互いに対して事前に決定された位置になるように、物品１０と電子デバイス１２とを共に反復してアライメントできる。
【００３５】
取り付け特徴部は幅広く多様でありうる。取り付けは、機械、電気、静電気、磁気、摩擦及び／又は同様のものを含む様々なタイプの結合によって提供されうる。１つの実施形態では、取り付けは物品及び／又は電子デバイスの外側からは見て取れない。例えば、物品及びデバイスは、見た目又は装飾的外観に悪影響を与える外部から視認可能な取り付け特徴部（例えば、スナップ、ラッチなど）を含むのではなく、物品又はデバイスの外側からは見て取れない取り付け特徴部を含んでもよく、それゆえ物品又はデバイスの見た目又は装飾的外観に影響しない。例として、取り付け特徴部は、物品又はデバイスの外面を乱さない引力面によって提供されうる。１つの実施形態では、取り付け特徴部の少なくとも一部は、引力の一部又は全部を提供するための磁気引力を利用する。
【００３６】
取り付けシステムは、１つ以上の取り付け特徴部を含みうる。複数の特徴部が用いられるならば、これらが固定する方法は同じであってもよいし、異なっていてもよい。例えば、１つの実装では、第１取り付け特徴部は第１取り付け手段を利用するが、第２取り付け特徴部は第１取り付け手段とは異なる第２取り付け手段を利用する。例えば、第１取り付け手段は摩擦結合を利用しうるが、第２取り付け手段は磁気を利用しうる。別の実装では、第１取り付け特徴部は第１取り付け手段を利用するが、第２取り付け特徴部は同じ又は同様の手段を利用する。例えば、第１取り付け手段及び第２取り付け手段は、磁石によって提供されうる。取り付け手段が同様でありうるけれども、特徴部の構成はシステムのニーズに依存して異なりうる。さらに、任意の個数及び任意の構成の取り付け手段が用いられうる。
【００３７】
説明される実施形態では、取り付けシステム１３及び取り付けシステム１４はそれぞれ、対応する取り付け特徴部１３ａ／１４ａの第１集合と、対応する取り付け特徴部１３ｂ／１４ｂの第２集合とを少なくとも含む。取り付け特徴部１３ａは、物品１０と電子デバイスとを解放可能に取り付けるように、対応する取り付け特徴部１４ａと共同できる。１つの特定の実装では、これは磁気引力によって実現される。さらに、取り付け特徴部１３ｂは、物品１０と電子デバイスとを解放可能に更に取り付けるように、対応する取り付け特徴部１４ｂと共同できる。１つの特定の実装では、これは磁気引力によって実現される。例として、取り付け特徴部１３ａ／１４ａは第１位置に提供されうるが、取り付け特徴部１３ｂ／１４ｂは第２位置に提供されうる。
【００３８】
特定の例では、取り付け特徴部１４ａは、取り付け特徴部１３ａと共同して、電子デバイス１２を物品１０に固定できる。別の例では、取り付け特徴部１３ｂは取り付け特徴部１４ｂを用いて物品１０を電子デバイス１２に固定できる。この例の取り付けシステム１３、１４は別々であってもよし、これらは取り付けを生み出すために共に共同してもよいことが留意されるべきである。これらが共同するならば、取り付け特徴部１４ａ、１４ｂは１つ以上の取り付け特徴部１３ａ、１３ｂに対応又は係合する。いずれの場合でも、これらの例の何れにおける取り付け特徴部も、機械取り付け、静電気取り付け、吸着取り付け、磁気取り付け及び／又は同様のものを通じて実現されうる。
【００３９】
取り付けシステムの配置及び取り付けシステム内の取り付け特徴部は幅広く多様でありうる。電子デバイス１２に関して、取り付けシステム１４は、前部、背部、上部、底部及び／又は側部に配置されうる。取り付け特徴部１４ａ、１４ｂは取り付けシステム１４内の任意の位置に配置されうる。従って、取り付け特徴部１４ａ、１４ｂは筐体及び／又はディスプレイの対する任意の位置に配置されうる。１つの例では、取り付け特徴部１４ａ、１４ｂは筐体の１つ以上の側（例えば、上部、底部、左、右）に沿った係合を提供できる。別の例では、取り付け特徴部１４ａ、１４ｂは電子デバイス１２の背部において係合を提供できる。更に別の例では、取り付け特徴部１４ａ、１４ｂは電子デバイス１２の前部（例えば、存在するならば、ディスプレイが配置される場所）において係合を提供できる。一部の場合に、取り付け特徴部の組合せは例えば側部及び前部のような電子デバイス１２の異なる領域に配置されうる。１つの実施形態では、取り付け特徴部１４ａ、１４ｂを含む取り付けシステム１４は電子デバイス１２の表面を乱さない。同様に、取り付けシステム１３及び特に取り付け特徴部１３ａ、１３ｂは物品１０の表面を乱さない。
【００４０】
１つの実施形態によれば、取り付け特徴部は磁気素子を含みうる。磁気素子は、電子デバイス１２に対して物品を係合配置に位置決めにするのを助けるように構成されうる。磁気素子はさらに、物品１０及び電子デバイス１２を係合に固定するのを助けうる。物品１０と電子デバイス１２との係合は、物品１０及び電子デバイス１２が個別の物体へ戻るように分離することを可能にする適切な解放力の印加によって分離されうることが留意されるべきである。しかしながら、磁気素子は、物品１０及び電子デバイス１２が任意の種類の機械的又は他の留め具を必要とせずにその後に結合を再開することを可能にできる。このようにして、磁気素子は物品１０と電子デバイス１２との間の反復可能で一貫した係合を提供する。
【００４１】
物品１０及び電子デバイス１２はそれぞれ、コンポーネント１６及びコンポーネント１８を更に含みうる。コンポーネント１６、１８は典型的に物品１０及び電子デバイス１２の構成に依存し、例えば支持を提供するために用いられる機械的又は構造的コンポーネントであってもよいし、特定の動作／機能集合を提供できる動作的／機能的コンポーネントであってもよい。コンポーネントはこれらの個別のデバイスに専用であってもよいし、対応する物品又はデバイスの態様に（例えば、有線又は無線で）結合するように構成されてもよい。構造的コンポーネントの例は、フレーム、壁、留め具、補強材、運動機構（ヒンジ）などを含みうる。動作的コンポーネントの例は、プロセッサ、メモリ、バッテリ、アンテナ、回路、センサ、ディスプレイ、入力などを含みうる。必要な構成に依存して、コンポーネントは外部（すなわち、表面に露出する）にあってもよいし、及び／又は内部（例えば、筐体内に組み込まれる）にあってもよい。
【００４２】
図２Ａ及び図２Ｂは、１つの記載される実施形態に従って、磁気取り付けシステムを介して電子デバイス２２に解放可能に取り付けられうる物品２０の簡略透視図である。物品２０及び電子デバイス２２は一般に、図１に関して検討されたものに対応する。１つの実施形態では、磁気取り付けシステムは、（破線又は陰影で示される）磁気面２４として実施されてもよく、より具体的には電子デバイス２２の側部における磁気面２４として実施されうる。磁気面２４は、互いに近くに置かれた場合に物品２０の対応する取り付け特徴部と共同できる磁界を提供する。磁界は、図２Ｂに示される係合面２６に沿って物品２０と電子デバイス２２とを共に対をなす係合に引き付けることができる正味磁気引力を確立できる。
【００４３】
言い換えると、磁気面２４によって提供される磁界は、物品２０と電子デバイス２２との間の正味磁気引力が係合面２６に実質的に直交するような特性を有しうる。さらに、磁界の結果として、物品２０と電子デバイス２２との間の正味磁気引力が係合面２６に沿って一様に印加されうる。物品２０と電子デバイス２２とを解放するために、磁気取り付けシステムによって提供される正味磁気引力に打ち勝つための解放力が２つの取り付けられた物品に印加されうる。
【００４４】
１つの側壁だけが示されるが、取り付けインタフェースの必要性に依存して、一部の場合に異なる側壁及び場合によっては側壁の組合せが用いられてもよいことも理解されるはずである。磁気取り付けの使用により留め具のような機械的取り付けの必要がなることが留意されるべきである。さらに、機械的取り付けがなく、磁気引力全体が一様なことによって、物品２０及び電子デバイス２２の表面が乱されないままになり、物品２０と電子デバイス２２とが単一の統合されたエンティティとして見えるように一体感のある外観を形成するのに役立つ。外観の一様性は、物品２０及び電子デバイス２２の両方の全体的な装飾的魅力を向上できる。
【００４５】
１つの実施形態では、磁気面は、電子デバイス２２及び／又は物品２０の側壁内の磁気取り付け特徴部の形態である磁気で引き寄せ可能な要素を組み込むことによって作製されうる。すなわち、磁気で引き寄せ可能な要素は物品２０及び電子デバイス２２の内部に、例えば電子デバイス２２の筐体の内部に配置されうる。この構成では、筐体は、プラスチック又はアルミニウムのような非鉄金属のような非磁性物質で形成されうる。このようにして、磁力線は、筐体の壁を通じて作用するように構成されうる。磁気取り付け特徴部は、物品２０及び電子デバイス２２の外側表面の物理的外観を乱さない。物品２０及び電子デバイス２２の磁気で引き寄せ可能な要素は、物品２０及び電子デバイス２２を、対をなす係合に共に取り付ける磁気引力を生成するように互いに共同できる磁界を生み出すように構成されうる。磁気引力を生成するように構成された磁気引力は電子デバイス２２と物品２０との間の係合面２６に直交する。
【００４６】
物体２０及び電子デバイス２２の対応する磁気素子間の磁気引力はまた、係合面２６に沿って一様に印加されうる。係合面２６に沿った磁気引力全体の一様性は、物品２０及び電子デバイス２２の対応する磁気素子間の分離距離の一様性を結果として生じうる。一様性はまた、物品２０及び電子デバイス２２の対応する磁気素子間の磁束密度の一貫性を結果として生じうる。正味磁気取り付けの一様性は、それぞれが互いによく一致した密着を形成する物品２０及び電子デバイス２２の表面によって容易になりうる。例えば、１つの表面は平らであるか、凹形状を有しつつ、他方の表面は一致する適合凸形状を有しうる。このようにして、共に密着することによって、物品２０及び電子デバイス２２の対応する磁気素子のそれぞれの間の分離距離は最小に低減されうる。表面形状の一致性はまた、係合面２６の継ぎ目の外観を低減又は除去することによって、物品２０及び電子デバイス２２の見た目全体を向上できる。このシームレス品質は、物品２０及び電子デバイス２２が互いに取り付けられる場合に単一エンティティであるという錯覚を与えうる。
【００４７】
見た目全体を向上することに加えて、磁気素子間の分離距離の一貫性は、物品２０と電子デバイス２２との間の取り付け力を係合面２６に沿って一様にできる。このようにして、係合力は係合面２６に亘って一様に分布され、そうでない場合に物品２０と電子デバイス２２との間の係合の完全性全体に影響するバックリング、ウィークポイントなどを防ぐことができる。
【００４８】
図３Ａ及び図３Ｂは、１つの記載される実施形態に従う磁気取り付けシステムを介して電子デバイス３２に直接かつ解放可能に取り付けられうる電子デバイス３０の形態を取りうる物品２０の簡略透視図である。１つの実施形態では、磁気取り付けシステムは、（破線又は陰影で示される）磁気面３４として実施されてもよく、より具体的には電子デバイス３２の側部における磁気面３４として実施されてもよい。磁気面３４は、互いに近くに置かれた場合に電子デバイス３０の対応する取り付け特徴部と共同できる磁界を提供できる。磁界は、図３Ｂに示されるような共同するシステム３８を形成するように、係合面３６に沿って電子デバイス３０及び電子デバイス３２を、対をなす係合に共に引き付けることができる正味磁気引力を確立できる。
【００４９】
図４Ａ及び図４Ｂは磁気取り付けユニット４４及び対応する磁気システム４６を介して電子デバイス４２に解放可能に取り付けられうる物品４０の簡略透視図である。この特定の実施形態は、以前はそれぞれの個別の側壁に直接に互いに取り付けられた物品４０及び電子デバイス４２を磁気で取り付けるために磁気取り付けユニット４４が用いられる点を除いて、図２Ａ及び図２Ｂに記載された実施形態と同様であることが留意されるべきである。このようにして、取り付けシステム４６は物品４０及び電子デバイス４２にそれぞれ適した磁気取り付けを与えるように構成された複数の磁気取り付け特徴部を含みうる。
【００５０】
図４Ｂは共同するシステム４８を形成するために係合面４７ａ、４７ｂにおいて磁気取り付けユニット４４を介して互いに磁気で取り付けられた物品４０及び電子デバイス４２を示す。システム４８の一部として、電子デバイス４２及び物品４０は、物品４０単体又は電子デバイス４２単体では利用できない機能を提供するように互いに共同できる。例えば、物品４０は電子デバイス４２単体では利用できない機能をユーザへ提供できる吊り下げ装置、ドッキング装置、搭載装置などの形態を取りうる。１つの実施形態では、物品４０は、磁気取り付けユニット４４を介して電子デバイス４２に磁気で取り付けられうるドッキングシステムの形態を取りうる。１つの実施形態では、ドッキングシステムは電子デバイス４２の機械的支持を与えうる。１つの実施形態では、ドッキングシステムは電子デバイス４２に情報を提供するように動作できる。１つの実施形態では、情報は磁気取り付けユニット４４に組み込まれたストレージデバイスに格納されうる。１つの実施形態では、情報は（例えばＷｉＦｉ接続によって）物品４０で受信されてもよく、電子デバイス４２へ磁気取り付けユニット４４を介して渡されてもよく、その逆でもよい。
【００５１】
１つの実施形態では、物品４０は電子デバイス４２を吊り下げるために用いられうる。例えば、物品４０は、支持のために別の物体を掴むために用いられうるフック、留め具などを含みうる。物品４０は、電子デバイス４２の支持を提供するために用いられうる。例えば、物品４０は、電子デバイス４２に磁気で取り付けられうる連接型支持体の形態を取りうる。物品４０の連接特性は、様々な角度及び方向に電子デバイス４２を提示するために用いられうる。磁気取り付けユニット４４と物品４０との間の磁気取り付けの解放可能特性に起因して、電子デバイス４２が用いられる場合に容易に取り外され、必要な場合にその後に再取り付けされうる。
【００５２】
図５Ａ及び図５Ｂは磁気取り付けユニット５４を介して電子デバイス５２に解放可能に取り付けられうる電子デバイス５０の形態の物品４０の簡略透視図である。この実施形態は、磁気取り付けユニット５４が複数の磁気で引き寄せ可能な要素を含みうる点で図４Ａ及び図４Ｂに示されたものと同様である。例えば、磁気素子は、電子デバイス５０及び電子デバイス５２のそれぞれにおいて磁気取り付けシステムを有効化するのに適した磁気面５６ａ及び磁気面５６ｂを生成するように、磁気取り付けユニット５４内に配置されうる。例えば、電子デバイス５２における磁気取り付けシステムの有効化の結果として、磁気面５８が電子デバイス５２の側壁において提示されうる。磁気面５８は、磁気取り付けユニット５４及び電子デバイス５２を係合面６０ａにおいて磁気で取り付けるために用いられうる。１つの実施形態では、磁気面５６ｂは磁気取り付けユニット５４の反対の側壁において生成されうる。電子機器５４と殆ど同様にして、磁気面５６ｂは、図５Ｂに示される共同するシステム６２を生成する係合面６０ｂにおいて電子デバイス５０に磁気取り付けユニット５４を磁気で取り付けるのに適した磁気面を生成する電子デバイス５０の磁気取り付けシステムを有効化するために用いられうる。
【００５３】
しかしながら、電子デバイス５０と電子デバイス５２との間の側面同士の磁気取り付けが示されたが、一部の実施形態では、磁気面は電子デバイス５０、５２の底面及び／又は上面に位置してもよいことが留意されるべきである。例えば、磁気取り付けユニット５４の磁気素子は磁気取り付けユニット５４の上面６４の裏側に組み込まれ、背面同士の構成を形成する電子デバイス５０又は電子デバイス５２の背面に取り付けるための磁気面６６を形成する。図示されていないが、磁気取り付けユニット５４の底面に追加の磁気素子が組み込まれてもよいことが留意されるべきである。
【００５４】
図５Ｂは共同するシステム６２を形成するために互いに磁気で取り付けられた電子デバイス５０及び電子デバイス５２を示す。この構成では、電子デバイス５２及び電子デバイス５０は、電子デバイス５０単体又は電子デバイス５２単体では利用可能でない機能を提供するように互いに共同できる。例えば、電子デバイス５０は、例えばユーザからの入力コマンド及び／又は例えばセンサからの入力データの形態の情報を受信できる。電子デバイス５０は全体的に又は部分的に情報を処理でき、処理された情報を更なる処理のために電子デバイス５２に渡せる。このようにして、共同するシステム６２は情報をより効率的な方法で処理でき、単体で動作する電子デバイス５０又は電子デバイス５２から予期されるものを超える向上したユーザ体験を提供するコンピュータリソースを維持する。
【００５５】
共同するシステム６２は、磁気取り付けユニット５４の側部の磁気面５６ａ、５６ｂがそれぞれ電子デバイス５２、５０の磁気取り付けシステムを有効化するように、磁気取り付けユニット５４と電子デバイス５０、５２とを互いに近接して配置することによって形成されうる。有効化した磁気システムは、その後、共同するシステム６２を形成するために電子デバイス５０及び電子デバイス５２を、対をなす係合に維持するのに十分な大きさ及び方向の正味磁気引力を生成するように磁気取り付けユニット５４と相互作用する（磁気面５８のような）磁気面を提供する。
【００５６】
１つの実施形態では、磁気取り付けユニット５４は剛性部材で形成されうる。１つの実施形態では、磁気取り付けユニット５４は曲げ可能である。１つの観点では、磁気取り付けユニット５４の曲げ可能な性質は、７５°のような視覚的に快適な角度で提示されうるキーボード及びディスプレイのようなユーザインタフェースをユーザに提供するために用いられうる。
【００５７】
磁気素子の目的は同様、すなわち物品を電子デバイスに取り付けることや、電子デバイスを電子デバイスに取り付けることであるが、これらの機構は幅広く多様でありうることが理解されるべきである。一部の場合に、磁界は異なるように構成されうる。例として、側部に搭載された磁気面が第１磁力を提供してもよく、前部に面する磁気面が第１磁力とは異なる第２磁力を提供してもよい。これは、異なる保持要件だけでなく、異なる表面積すなわち利用可能なスペース、及び電子デバイスの内部コンポーネントへの影響に部分的に起因しうる。１つの例では、側部に搭載された磁気面は、物品（又は電子デバイス）を電子デバイスに固定するためのより大きな保持力（すなわち、主固定力）を提供し、前部に面する磁気面は副固定力である。
【００５８】
１つの例では、磁気取り付けユニット５４は、磁気取り付けユニットを可動及び可撓性を有するように半剛性であり互いに対して曲がる複数区間を含む。１つの実施形態では、磁気取り付けユニット５４は、１つ以上の異なる構成に折り重なり、一部の場合に上述されたものと同様の磁気システムを用いてこれらの構成に保持されうる。これらの実施形態及びその他の実施形態は以下に詳細に記載される。さらに、記載される実施形態は本明細書に具体的に記載されるものに限定されず、例えば吊り下げ装置として用いられるアクセサリデバイス、ディスプレイの視覚性を向上するための電子デバイス用の支持機構、及びディスプレイのタッチセンサ部のための支持機構及びタッチセンサ部におけるタッチイベントを入力するための支持機構などを含む他の構成として用いられうる。
【００５９】
電子デバイス及び物品は多くの形態を取りうる。この議論の残り部分について、電子デバイスはハンドヘルドポータブル計算デバイスの観点で記載される。従って、図６は記載される実施形態に従う電子デバイス１００の上面透視図を示す。電子デバイス１００はデータを処理でき、より具体的にはオーディオ、ビジュアル、画像などのようなメディアデータを処理できる。例として、電子デバイス１００は一般に、スマートフォン、音楽プレーヤ、ゲームプレーヤ、ビジュアルプレーヤ、携帯情報端末（ＰＤＡ）、タブレットコンピュータなどとして動作できるデバイスに対応しうる。電子デバイス１００はまた、ハンドヘルドでありうる。ハンドヘルドであることに関して、電子デバイス１００は一方の手で保持されつつ、他方の手で操作可能である（すなわち、デスクトップのような基準面は必要ない）。従って、電子デバイス１００は一方の手で保持されつつ、他方の手によって動作入力コマンドが提供されうる。動作入力コマンドは、ボリュームスイッチ、ホールドスイッチを操作することを含み、又はタッチセンサディスプレイデバイス又はタッチパッドのようなタッチセンサ面への入力を提供することによって操作することを含みうる。
【００６０】
電子デバイス１００は筐体１０２を含みうる。一部の実施形態では、筐体１０２は、鋳造、モールド又は他の方法で所望の形状に形成されうるプラスチック又は非磁気金属のような任意の個数の材料で形成された一体成型の筐体の形態を取りうる。電子デバイス１００が金属筐体を有し、高周波（ＲＦ）ベースの機能を組み込む場合に、筐体１０２の一部はセラミックやプラスチックのような無線透過材料を含みうる。筐体１０２は複数の内部コンポーネントを囲むように構成されうる。例えば、筐体１０２は、電子デバイス１００のための計算動作を提供するために（集積回路チップを含む）様々な構造コンポーネント及び電気コンポーネントを囲み、支持できる。集積回路は、チップ、チップセット又はプリント回路基板（ＰＣＢ）又は他の支持構造体に搭載された面でありうるモジュールの形態を取りうる。例えば、メインロジックボード（ＭＬＢ）は、少なくともマイクロプロセッサ、（ＦＬＡＳＨのような）半導体メモリ及び様々な支持回路などを含みうる集積回路を搭載しうる。筐体１０２は、内部コンポーネントを配置するための開口１０４を含んでもよく、必要ならば視覚コンテンツを提示するためのディスプレイアセンブリを収納するためのサイズを有してもよく、ディスプレイアセンブリは保護層１０６によってカバーされて保護される。一部の場合に、ディスプレイアセンブリは、電子デバイス１００に制御信号を提供するために用いられうる触覚入力を可能にするタッチセンサでありうる。一部の場合に、ディスプレイアセンブリは、電子デバイスの前部の敷地の大部分をカバーする大きな目立つディスプレイエリアであってもよい。
【００６１】
電子デバイス１００は、電子デバイス１００を少なくとも１つの適切に構成された他の物体に磁気で取り付けるために用いられうる磁気取り付けシステムを含みうる。
【００６２】
磁気取り付けシステムは、筐体１０２内に分散され、一部の場合に筐体１０２に接続された複数の磁気取り付け特徴部を含みうる。例えば磁気取り付けシステムは、側壁１０２ａの近くに配置された第１磁気取り付け特徴部と、カバーガラス１０６の下に配置された第２磁気取り付け特徴部とを含みうる。１つの実施形態では、第１磁気取り付け特徴部は複数の状態で動作できる。例えば、無効状態では、第１磁気取り付け特徴部は側壁１０２ａの外面において第１磁気面Ｍ１を提供できる。第１磁気面Ｍ１は、側壁１０２ａの外面に配置された磁気の影響を受けやすいデバイスにほとんど影響を与えないか、まったく影響を与えず、磁気取り付けに適さない磁界を示しうる。言い換えると、磁気面Ｍ１は式（１）を満たす側壁１０２における磁束密度Ｂに一致する。
Ｂ≦Ｂthreshold    式（１）
ここで、Ｂthresholdは、側壁１０２ａにおいて磁気取り付けを促進せず、側壁１０２ａにおいて磁気の影響を受けやすいデバイスに実質的に影響を与えない側壁１０２ａにおける磁束漏洩の値に対応する磁束密度Ｂの値を表す。
【００６３】
しかしながら、有効状態において、第１磁気取り付け特徴部は図６Ｂに斜めハッチングで示される側壁１０２の外面における第２磁気面Ｍ２を提供できる。磁気面Ｍ２は式（２）を満たす側壁１０２の外面における磁気取り付けを促進することに一致する。
Ｂ＞Ｂthreshold    式（２）
【００６４】
１つの実施形態では、適切な磁気特性を有する外部磁界は第１磁気取り付けシステムを無効状態から有効状態に移行させうる。このようにして、側壁１０２ａに表現される磁気面は（図６Ａに示される）磁気面Ｍ１から（図６Ｂに示される）磁気面Ｍ２に変化しうる。外部磁界は、第１磁気取り付け特徴部の動作状態を無効から有効に変化させる第１磁気取り付け特徴部と共同する電子デバイス１００の外にある磁気取り付け特徴部によって提供されうる。
【００６５】
第２磁気取り付け特徴部は、式（２）を満たす磁気面Ｍ３を提供することによって、電子デバイス１００の別のデバイスへの磁気取り付けを支援できる。１つの実施形態では、第２磁気取り付け特徴部は、磁気面Ｍ３の提供に一致する１つの動作状態を有する。
【００６６】
明示されないが、磁気取り付けシステムの様々な磁気取り付け特徴部が筐体１０２の任意の適切な位置に配置されうることが理解される。例えば、磁気取り付け特徴部は筐体１０２の内部底面に配置されてもよいし、筐体１０２の側部１０２ｃ、１０２ｄに沿って配置されてもよい。
【００６７】
図７Ａ−図７Ｂに示され、図５Ａ−図５Ｂに関して上述された説明を再び参照して、磁気取り付けユニット５４は、係合面１３２ａ、１３２ｂにおいて共同するシステム１３０を形成するために電子デバイス１００、１２０を磁気で取り付けるために用いられうる。共同するシステム１３０は電子デバイス１００と電子デバイス１２０との両方からのリソースを単独で又は組み合わせて利用できる。１つの実施形態では、電子デバイス１００は、対応する情報を電子デバイス１２０に無線送信することによってタッチイベントに応答できる仮想キーボードを提示できる。電子デバイス１２０は応答を提供するために当該情報を使用できる。例えば、ユーザは電子デバイス１００によって提示されたアイコンのリストから特定のメディアアイテム又はアイテム群を選択できる。選択されたメディアアイテム（群）の識別は（無線で又は有線接続を介して）電子デバイス１２０へ転送されうる。１つの実施形態では、電子デバイス１２０は、選択されたメディアアイテムの少なくとも一部を復号して提示できる。
【００６８】
図８Ａ〜図８Ｃは、電子デバイス１００を、適切に構成された磁気取り付けシステムを有する物体に磁気で取り付けるために用いられうる磁気取り付けユニット２００の様々な実施形態を示す。物体はアクセサリデバイスの形態をとりうる。物体は電子デバイスの形態をとりうる。一部の場合に、アクセサリデバイスは電子デバイス１００と通信できる電子コンポーネントを含んでもよく、その逆も成り立つ。いずれの場合でも、磁気取り付けユニット２００は可撓性部材２０６を介して共に接続された磁気取り付け特徴部２０２、２０４を含みうる。１つの実施形態では、磁気取り付け特徴部２０２、２０４は可撓性部材２０６に固定して取り付けられうる。１つの実施形態では、磁気取り付け特徴部２０２、２０４は可撓性部材２０６に旋回可能に接続され、それによって磁気取り付けユニット２００に追加の自由度を提供できる。
【００６９】
図８Ａは記載される実施形態に従う磁気取り付け特徴部２０２、２０４の横断面図を示す。この特定の説明では、磁気取り付け特徴部２０２、２０４は、略平坦な面を有する筐体１０２の一部に磁気で取り付けられる。しかしながら、筐体１０２は曲面を有してもよく、この場合に、以下に記載される磁気取り付け特徴部２０２、２０４の様々なコンポーネントの形状は、筐体１０２の形状に一致する形状を取りうることが留意されるべきである。このようにして、筐体１０２内の対応する磁気素子と磁気取り付け特徴部２０２、２０４との間の分離距離が最小化され、それによって正味磁気引力が最大化される。
【００７０】
以下の記載において、磁気取り付け特徴部２０２、２０４は実質的に同じ構成を有することが留意されるべきである。しかしながら、一部の実施形態では、共に磁気で取り付けられる物体の性質及び形態に依存して、磁気取り付け特徴部２０２、２０４は構造において幾分異なりうる。従って、簡単のために、磁気取り付け特徴部２０２だけが記載される。
【００７１】
電子デバイス１００の磁気素子は対応する磁気素子２０４と磁気で相互作用できる。１つの実施形態では、磁気素子２０８は約２ｍｍの厚さを有し、筐体１０２のものに実質的に一致する形状を有しうる。磁気素子２０８と電子デバイス１００の磁気素子との間の磁気相互作用は、筐体１０２の厚さｔとラベル２１０の厚さ「ｌ」との合計にほぼ等しい分離距離Ｘsepに一致する正味磁気引力を生成できる。厚さ「ｌ」は約０．２ｍｍのオーダでありうる。ラベル２１０は、起こりうる引っ掻き及び磁気素子２０８と筐体１０２との間の金属対金属接触によって生じる可能性がある他の装飾的損傷から筐体１０２の外面を保護するために用いられうる。ラベル２１０と磁気素子２０８との両方はそれぞれ、筐体１０２の形状に一致する形状を有しうる。このようにして、磁気素子２０８と電子デバイス１００の磁気素子との間の距離は、筐体１０２の厚さｔとラベル２１０の厚さｌとにおおよそ低減されうる。
【００７２】
磁気分路２１２は、筐体１０２から見て外側を向く磁気素子２０８の部分に接着され、当該部分を囲みうる。磁気分路２１２は鋼鉄又は鉄のような磁気的に活性な金属で形成されうる。磁気的に活性な材料は、これがなければ電子デバイス１００の磁気素子から離れた方向に向くだろう磁束線を方向変更でき、それによって磁気取り付け特徴部２０２と電子デバイス１００との間の全磁束密度Ｂを増加する。その後、磁気分路２１２は磁気取り付け特徴部２０２の筐体２１４に接着されうる。（金属対金属接触を避けるために）ラベル２１０だけが筐体２１４に接触することを保証するために、ラベル２１０は約距離「ｄ」だけ筐体１０２へ出っ張る（すなわち、突出する）。名目的に、距離ｄは約０．１ｍｍのオーダでありうる。
【００７３】
図８Ｂは磁気取り付け特徴部２０２、２０４が剛性部材２１６に結合される磁気取り付け特徴部２００の実施形態を示す。上述のように、磁気取り付け特徴部２０２、２０４は剛性部材２１６に固定して取り付けられうる。１つの実施形態では、磁気取り付け特徴部２０２、２０４は剛性部材２１６に旋回可能に接続されうる。
【００７４】
図８Ｃは磁気取り付け特徴部２０２、２０４が（剛性又は可撓性を有しうる）接続部材２２２に組み込まれる磁気取り付けユニット２２０の形態の磁気取り付けユニットの別の実施形態を示す。この構成では、筐体２１４は必要ない。従って、磁気素子２０８、ラベル２１０及び分路２１２だけが必要となる。
【００７５】
この検討の残り部分は磁気取り付けシステムを使用できるデバイスの特定の実施形態を記載する。特に、電子デバイス１００はカリフォルニア州クパチーノのアップルインクによって製造されるｉＰａｄのようなタブレットコンピューティングデバイスの観点で以下に記載される。
【００７６】
１つの実施形態では、アクセサリデバイス１２０は電子デバイス１００の機能全体を向上するために用いられうる。例えば、アクセサリデバイス１２０は吊り下げ装置として動作するように構成されうる。電子デバイス１００に磁気で取り付けられた場合に、アクセサリデバイス１２０は電子デバイス１００を吊り下げるために用いられうる。このようにして、電子デバイス１００は、壁に又は天井からぶら下げて美術品、動画、写真などのような視覚コンテンツを提示するためのディスプレイとして用いられうる。吊り下げ装置として、電子デバイス１００は、正味磁気引力ＦNETに打ち勝つのに十分な解放力を単に発揮するだけで簡単に取り外されうる。アクセサリデバイス１２０はその場に残されてもよく、後で電子デバイス１００（又は別のデバイス）を再度取り付けるために用いられうる。
【００７７】
１つの実施形態では、アクセサリデバイス１２０はまた、電子デバイス１００に磁気で取り付くために自身に備えられていない物体を取り付けるための保持機構の形態を取りうる。例えば、アクセサリデバイス１２０はスタイラス又は他のこのような入力デバイスを運ぶように構成されうる。スタイラスは電子デバイスに入力を与えるために用いられうる。一部の場合に、アクセサリデバイス１２０はスタイラスの存在を示す信号を電子デバイス１００に提供できる。信号は、例えば電子デバイス１００をスタイラス認識状態に移行させうる。より具体的に、アクセサリデバイス１２０が電子デバイス１００に磁気で取り付けられた場合に、電子デバイス１００はスタイラスタイプの入力を認識するためにスタイラス入力状態を有効化できる。アクセサリデバイス１２０が外された場合に、電子デバイス１００はスタイラス入力状態を無効化できる。このようにして、スタイラスは必要な場合に便利に電子デバイス１００に取り付け／取り外しされうる。
【００７８】
アクセサリデバイス１２０は電子デバイス１００の機能を向上するために用いられる支持体の形態をとりうる。例えば、アクセサリデバイス１２０は７５°のような快適な視覚角度で電子デバイス１００のディスプレイが見られうるディスプレイスタンドとして動作するように構成されうる。言い換えると、テーブル又はデスクのような水平面に置かれた場合に、アクセサリデバイス１２０は、ディスプレイに提示される視覚コンテンツが約７５°の視覚角度で見られるように、電子デバイス１００を支持できる。
【００７９】
アクセサリデバイス１２０はまた、キーボード状態にある電子デバイス１００の機能を向上するために用いられる支持体の形態をとりうる。キーボード状態では、アクセサリデバイス１２０は人間工学的にフレンドリな角度でタッチパッド面を提示するために用いられる。このようにして、入力タッチイベントは、ユーザの手首、手、腕などを酷使しない角度で（例えば仮想キーボードに）適用されうる。
【００８０】
図９は開いた形態の可撓性磁気取り付けユニット３０６を介してタブレットデバイス３０２とタブレット３０４とを磁気で取り付けることによって形成される装置３００を説明する。磁気取り付けユニット３０６は、旋回ヒンジアセンブリ３１０、３１２を互いに接続するように構成された可撓性接続部材３０８を含みうる。旋回ヒンジアセンブリ３１０、３１２のそれぞれはその後タブレットデバイス３０４、３０２にそれぞれ磁気で接続される。ヒンジアセンブリは、磁気取り付けユニット３０６がデバイス３０２、３０４に磁気で取り付けられている間に、磁気取り付けユニット３０６が折り重なることを可能にする１つ以上の旋回軸を提供できる。
【００８１】
１つの実施形態では、ヒンジアセンブリ３１０は、（第１端部ラグとも呼ばれる）第１ヒンジ部３１４と、第１端部ラグの反対に配置された第２ヒンジ部（又は第２端部ラグ）３１６とを含みうる。第１端部ラグ３１４は、追加の旋回軸を提供する接続部材３０８に組み込まれた接続ロッド（不図示）を介して第２端部ラグ３１６に強固に接続されうる。接続ロッドはタブレットデバイス３０２、３０４を強固に支持するのに十分に強い金属又はプラスチックで形成されうる。
【００８２】
ヒンジスパン３１８は磁気素子を含みうる。磁気素子はタブレットデバイス３０２、３０４の磁気素子の対応する構成を有する磁気取り付け特徴部にヒンジスパン３１８を磁気で取り付けるように配置されうる。より具体的に、ヒンジスパン３１８内の磁気素子は、タブレットデバイス３０２の磁気特徴部を有効化して、これらをヒンジスパン３１８に磁気で取り付けられるようにする。ヒンジスパン３１８はプラスチックやアルミニウムのような非磁気金属のような磁気的に不活性な材料で形成されうる。
【００８３】
装置３００は各タブレットデバイス３０２、３０４が本のように視覚情報を提示できる本として参照されうる。例えば、図９に示されるように、開いた形態では、装置３００は、タブレットデバイス３０２のディスプレイ３２０が開いた本のページのように機能できる（タブレット３０４のディスプレイ３２２も同様に機能できる）開いた本に似ている。１つの実施形態では、例えば左から右へのページフリップジェスチャを用いて前方へフリップするようにタブレットデバイス３０２（又はタブレットデバイス３０４）のタッチセンサ面を単にスワイプするだけで、ユーザはページを「フリップ」できる。一方、ページ（又はページ群）を後方にフリップするために、ユーザは例えば右から左へのページフリップジェスチャを用いてタブレットデバイス３０２又は３０４のタッチセンサ面をスワイプできる。
【００８４】
いずれの場合でも、図９に示される本モードでは、本への合理的な類似及び本が情報を提示する方法を提供するためにタブレットデバイス３０２、３０４は互いに通信しなければならない。この通信はタブレットデバイス３０２、３０４間の無線通信の形態をとりうる。
【００８５】
図１０は、互いに折り重なるようにタブレットデバイス３０２、３０４が可撓性接続部材３０６の可撓性を用いる閉じた形態にある装置３００を示す。１つの実施形態では、ディスプレイ３２０、３２２の下にある磁気素子は、タブレットデバイス３０２，３０４が互いに接触するのを妨げるように構成されうる。１つの構成では、磁気素子はタブレットデバイス３０２とタブレットデバイス３０４との間の接触を妨げるこれらのデバイス間の正味磁気斥力を生成するような方法で相互作用するように構成されうる。１つの実施形態では、磁気素子は、タブレットデバイス３０２、３０４を互いに固定できる正味磁気引力を生成するように構成されうる。１つの実施形態では、磁気素子は、閉じた形態において磁力をほとんど提供しないか全く提供しないように構成されうる。
【００８６】
図１１Ａ及び図１１Ｂは磁気取り付けユニット３３０を介して互いに磁気で取り付けられたタブレットデバイス３０２、３０４を示す。１つの実施形態では、磁気取り付けユニット３３０は、ヒンジ（又はクラッチバレル）３３８を介して互いに旋回可能に接続された剛性部３３４、３３６で形成された接続部材３３２を含みうる。図１１Ａに示されるように、タブレットデバイス３０２はテーブルのような平坦な支持面に置かれうる。タブレットデバイス３０４はその後タブレットデバイス３０２に対して垂直な方向に配置されうる。このようにして、タブレットデバイス３０４は視覚コンテンツを提示するためのディスプレイとして機能できる。
【００８７】
図１２Ａは磁気取り付けユニット３４０を介して共に接続されたタブレットデバイス３０２、３０４を示す。示されるように、磁気取り付けユニット３４０はヒンジアセンブリ３１８を含まず、よってタブレットデバイス３０２、３０４に固定して取り付けられる。磁気取り付けユニット３４０は、クラッチバレル又はヒンジ３３８を介して互いに旋回可能に接続された剛性接続部材３４２を含みうる。このようにして、図１２Ｂに示されるように、タブレットデバイス３０２はテーブルのような平坦な支持面に置かれ、（タブレット３０４のような）別の電子デバイスはディスプレイとして機能するように配置されうる。図１２Ｂ及び図１２Ｃから見て取れるように、タブレットデバイス３０４は、必ずしもタブレットデバイスではない電子デバイス１００によって置き換わりうる。例えば、電子デバイス１００は、磁気取り付けユニット３４０に磁気で取り付けることができる単なるディスプレイの形態をとりうる。１つの実施形態では、磁気取り付けユニット３４０は実際に電子デバイス１００の一部として形成されうる。このようにして、磁気取り付けユニット３４０はタブレットデバイス３０２に磁気で取り付けるのに適した単一の磁気取り付け特徴部だけを含みうる。
【００８８】
図１２Ｃに示されるように、立てられた電子デバイスが電子デバイス１００の形態をとるかタブレットデバイス３４０の形態をとるかに係わらず、立てられた電子デバイスへの追加の支持を提供するために支持構造体３５０が用いられうる。
【００８９】
図１３はタブレットアレイ３６０を形成するためにタブレットデバイス３０２、３０４を磁気で取り付けた磁気取り付けユニット２２０を示す。従って、タブレットデバイス３０２、３０４は無線接続を介して互いに通信できる。１つの実施形態では、無線接続は、タブレットデバイス３０２、３０４が互いに直接に通信できるＷｉＦｉ無線通信の形態をとりうる。１つの実施形態では、タブレットデバイス３０２、３０４は、無線ルータ、サーバコンピュータのような外部回路を部分的に介して互いに通信できる。１つの実施形態では、磁気取り付けユニット２２０はタブレットデバイス３０２、３０４間の通信を支援するための通信リソースを提供できる。１つの実施形態では、磁気取り付けユニット２２０は処理リソースだけでなく、タブレットデバイス３０２、３０４の一方又は両方の動作状態を変えるために用いられうるデータストレージリソースを含みうる。例えば、磁気取り付けユニット２２０が（フラッシュメモリのような）データストレージデバイスを含む場合に、ストレージデバイス内のデータはタブレットデバイス３０２、３０４の一方又は両方に転送されうる。転送されたデータは、個別のタブレットデバイスの動作状態を変えるために実行されうる命令の形態をとりうる。
【００９０】
図１４Ａは実施形態に従うシステム４００の断面図を示す。システム４００は磁気ヒンジアセンブリ４０６を介してカバーアセンブリ４０４に磁気で取り付けられたタブレットデバイス４０２を含みうる。カバーアセンブリ４０４は、旋回軸４１０においてヒンジアセンブリ４０４に旋回可能に取り付けられたセグメント化カバー４０８を含みうる。ヒンジアセンブリ４０６はヒンジアセンブリ４０４の磁気素子４１２とタブレットデバイス４０２の磁気取り付け特徴部４１４とを介してタブレットデバイス４０２に磁気で取り付けられうる。介在層４１６はヒンジアセンブリ４０６とタブレットデバイス４０２の筐体４１８との間の直接の金属対金属接触を防ぐように機能できる。
【００９１】
カバーアセンブリ４０４はまた、旋回軸４２２においてヒンジアセンブリ４０６に旋回可能に取り付けられた別個のフラップ部４２０を含みうる。このようにして、セグメント化カバー４０８とフラップ部４２０は図１４Ｂに示されるようにそれぞれの旋回軸の周りを回転でき、セグメント化カバー４０８は支持構造体４２４になるように折り重ねられる。支持構造４２４は三角形の形状であってもよく、ディスプレイ４２６が約７５°の角度で提示されるようにタブレットデバイス４０２を配置するために用いられうる。
【００９２】
フラップ部４２０はファブリックのような可撓性部材で形成されうる。１つの実施形態では、フラップ部４２０は様々な入力デバイスを含みうる。例えば、図１５に示されるように、フラップ部４２０はキーボード４３０を含みうる。キーボード４３０は例えば有線接続を用いてタブレットデバイス４０２と通信状態にありうる。１つの実施形態では、キーボード４３０はタブレットデバイス４０２と無線通信状態にありうる。従って、ユーザは、ファブリックキーボード４３０の様々な入力キーを押下することによってタブレットデバイス４０２へ情報を渡すことができる。
【００９３】
フラップ部４２０は任意の適切なタイプの入力デバイスを含むように構成されうることが留意されるべきである。例えば、図１６に示される１つの実施形態では、フラップ部４２０は入力パッド４４０の形態をとりうる。入力パッド４４０は、スタイラス、ペン、鉛筆又は指のような人間の付属器官により提供されるもののようなタッチイベントを感知可能でありうる。さらに、図１７に更に示されるように、フラップ部４２０は、所定の方法でユーザがタッチパッド４５０にタッチすることによってタブレットデバイス４０２に情報を提供するために用いられうるタッチパッド４５０を含みうる。
【００９４】
図１８Ａ〜図１８Ｄは記載される実施形態に従う磁気ドッキングステーション５００を示す。磁気ドッキングステーション５００は支持体５０２及びベース部５０４を含みうる。ベース部５０４は電子デバイス４００の磁気取り付け特徴部を有効化するように構成された磁気素子５０６を含みうる。従って、ベース部５０４のスロット５０８に電子デバイス１００を置くことの結果として、磁気素子５０６が電子デバイス１００の磁気取り付け特徴部を有効化しうる。この有効化により、ドッキングステーション５００に電子デバイス１００を固定するのに十分に強い磁気素子５０６と電子デバイス１００との間の正味磁気引力が生じうる。図１７Ｂに示される１つの実施形態では、電子デバイス１００はタブレットデバイス３０２の形態をとりうる。１つの実施形態では、ドッキングステーション５００は電子デバイス１００に電力を提供できる。１つの実施形態では、ドッキングステーション５００と電子デバイス１００とは、ＷｉＦｉ、ＢｌｕｅＴｏｏｔｈ等のような適切な無線通信デバイスを介して互いに無線で通信できる。１つの実施形態では、ドッキングステーション５００は、電子デバイス１００とドッキングステーション５００に接続された別の電子デバイス、又は一部の場合にキーボード、キーパッド、タッチパッド等のような入力デバイスとの間の有線通信チャネルを提供するドッキングポート（群）を含みうる。図１８Ａ〜図１８Ｄに示される実施形態では、キーボードのような入力デバイスが配置されうるテーブル又はデスクのような支持面に対して実質的に固定された角度及び方向で電子デバイス１００が提示されるようにドッキングステーション５００が固定される。
【００９５】
しかしながら、図１９Ａに示されるように、ドッキングステーション６００は旋回軸６０２の周りを旋回できる。このようにして、電子デバイス１００は支持面に対して任意の個数の角度で提示されうる。旋回するドッキングステーション６００は、回転軸６０２を介して支持体６０６に旋回可能に接続されたベース部６０４を含みうる。１つの実施形態では、磁気素子６１０は、電子デバイス１００を旋回するドッキングステーション６００に磁気で結合するために電子デバイス１００の磁気取り付け特徴部６１２を有効化できる。１つの実施形態では、磁気素子６１０はベース部６０４に含まれうる。図１９Ｂは電子デバイス１００がタブレットデバイス３０２の形態をとる実施形態を示す。図１９Ｃは本発明の実施形態に従う連接型ドッキングステーション６５０を示す。
【００９６】
図２０Ａ〜図２０Ｄは記載される実施形態に従うタブレットデバイス３０２に磁気で取り付けられうる様々な吊り下げアクセサリ７００を示す。示されるように、吊り下げアクセサリはそれぞれ、タブレットデバイス３０２に含まれる磁気取り付け特徴部を有効化するように構成された磁気素子を含むように形成されることが留意されるべきである。この統合構成は必要なコンポーネント数を低減しうる。しかしながら、１つの実施形態では、吊り下げアクセサリは上述の磁気取り付けユニットを用いてタブレットデバイス３０２に磁気で取り付けられうる。いずれの場合も、様々な吊り下げアクセサリは任意の適切な面からタブレットデバイス３０２を吊り下げるか、他の方法でぶら下げるために用いられうる。例えば、図２０Ａ及び図２０Ｂは垂直な壁からタブレットデバイス３０２をぶら下げるのに適した吊り下げアクセサリ７００の変形を示す。例えば、フックアクセサリ７０２及び吸着カップアクセサリ７０４は、フックアクセサリ７０２の場合にオフィスのパーティションにある垂直な壁から、図２０Ｂに示される吸着カップアクセサリ７０４の場合に冷蔵庫のドア、黒板又はホワイトボードからタブレットデバイス３０２を吊り下げるために用いられうる。
【００９７】
図２０Ｃ及び図２０Ｄはユーザがタブレットデバイス３０２を持ち運ぶことを可能にできる吊り下げアクセサリ７００の実施形態を示す。例えば、固定ハンドルアクセサリ７０６はユーザが片手でタブレットデバイス３０２をしっかりと保持することを容易にでき、ストラップアクセサリ７０８はユーザがより自由にゆったりとタブレットデバイス３０２を持ち運ぶことを可能にできる。
【００９８】
図２０Ｅ及び図２０Ｆはフック又は他の引っ掛けアクセサリに適していない垂直面から電子デバイス１００を吊り下げるために用いられうる吊り下げアクセサリ７００の実施形態を示す。このような面は、ホワイトボード、黒板、滑らかな金属面、木の面などを含む。従って、吊り下げアクセサリ７１０は、吊り下げアクセサリ７１０を上述の面に取り外し可能に接着するために用いられうる吸着カップ７１４（又は均等物）が取り付けられる支持体７１２を含みうる。吊り下げアクセサリ７１０はまた、電子デバイス１００の磁気取り付け特徴部７２０を有効化するために用いられる磁気素子７１８を含むベース部７１６を含む。図２０Ｅは電子デバイス１００がホワイトボード７２２に取り付けられたタブレットデバイス３０２の形態をとる実施形態を示す。
【００９９】
図２１Ａ〜図２１Ｂは、タブレットデバイス３０２が用いられうる用途の有用性及び範囲を拡張できる吊り下げアクセサリ７００の追加の実施形態を示す。例えば、図２１Ａは、例えばヘッドレストの形状に一致する留め具７１２を用いて自動車のヘッドレストに搭載されたタブレットデバイス３０２を示す。一部の実施形態では、留め具７１２はヘッドレストの多様な形状及びサイズを許容するために幾分可撓性を有しうる。別の例では、図２１Ｂは、例えば飛行機の座席からタブレットデバイス３０２を吊り下げるために用いられうる留め具７１４を示す。両方の場合において、タブレットデバイス３０２は、ベース部７１６、７１８に組み込まれた磁気素子を介して留め具７１２、７１４の両方に磁気で取り付けられることが留意されるべきである。１つの実施形態では、ベース部７１６、７１８は、調節可能な視覚角度を見る人に提供するために留め具７１２、７１４に旋回可能に接続されうる。
【０１００】
タブレットデバイス３０２の吊り下げ又は他の方法の搭載に加えて、図２２Ａに示されるように、搭載アクセサリ７２０は例えば自動車のダッシュボードにタブレットデバイスを直接に搭載するために用いられうる。１つの実施形態では、搭載アクセサリ７２０はダッシュボード７２４に固定されてもよく、タブレットデバイス３０２に含まれる磁気取り付け特徴部を有効化するために用いられうる。タブレットデバイス３０２をダッシュボードに機械的に固定することに加えて、搭載アクセサリ７２０は、タブレットデバイス３０２に電力を供給し、乗り物内の他の電子デバイスとの接続を提供するなどを行うために用いられうる。例えば、タブレットデバイス３０２がオーディオデータ及び一部の場合にビデオデータを適切な受信機回路へ無線送信できる。このようにして、メディアデータはタブレットデバイス３０２から供給されうる。１つの実施形態では、タブレットデバイス３０２は乗り物に利用可能な他の電子サービスとの連携に用いられうる。例えば、ＧＰＳベースナビゲーションがタブレットデバイス３０２に表示され、交通警告が示され、乗り物情報（ガスレベル、充電レベル等）が示されるなどである。１つの実施形態では、ユーザ入力がタブレットデバイス３０２に提供されうる。ユーザ入力は乗り物、メディアなどの動作特性を変えるために用いられうる。図２２Ｂはトレッドミル７２２のようなエクササイズ器具にタブレットデバイス３０２を搭載するために用いられうる搭載アクセサリ７２０を示す。
【０１０１】
図２３Ａ〜図２３Ｈは様々な周辺デバイス８００に磁気で取り付けられたタブレットデバイス３０２の実施形態を示す。例えば、図２３Ａはタブレットデバイス３０２に磁気で取り付けられたカメラ８０２を示す。カメラ８０２はタブレットデバイス３０２に含まれる画像撮像リソースと連動して、又はこれとは別個に動作しうる。図２３Ｂはスタイラス８０６を有するスタイラスホルダ８０４を示す。１つの実施形態では、タブレットデバイス３０２の動作は、スタイラスホルダ８０４の場合（又は、スタイラス８０６の存在の場合）にスタイラス認識モードへ変わりうる。スタイラス認識モードでは、タブレットデバイス３０２の動作は、ディスプレイ８０８上のスタイラス８０６の動きが認識され、タブレットデバイス３０２によって動作されるようなものでありうる。
【０１０２】
図２３Ｃはタブレットデバイス３０２に磁気で取り付けられたカードスワイプ８１０を示す。この構成では、ユーザは例えば磁気で符号化されたカードをスワイプでき、タブレットデバイス３０２による処理のために情報が容易に利用可能になる。図２３Ｄはタブレットデバイス３０２の補助的なＲＦ送受信に用いられうるアンテナアセンブリ８１２を示す。
【０１０３】
図２３Ｅはタブレットデバイス３０２に追加のメモリリソースを提供するように構成され、タブレットデバイス３０２に磁気で取り付けられたメモリモジュール８１４を示す。図２３Ｆはタブレット３０２に磁気で取り付けられたキーボード８１６を示す。キーボード８１６は無線で又は有線接続でタブレットデバイス３０２と通信できる。
【０１０４】
図２３Ｇはタブレットデバイス３０２に磁気で接続されたゲームコントローラ８１８を示す。１つの実施形態では、ゲームコントローラ８１８はタブレットデバイス３０２に情報を提供できる。情報は、プレイされるゲーム、履歴ゲーム情報、プレーヤ情報及び識別情報などを含みうる。図２３Ｈはタブレットデバイス３０２により提供されるオーディオコンテンツを広めるためのスピーカ８２２を有するオーディオ出力モジュール８２０を示す。
【０１０５】
図２４はタブレットデバイス９０２を格納し輸送するために用いられうるトラベルケース９００を示す。トラベルケース９００はタブレットデバイス９０２の磁気取り付け特徴部９０６を有効化するように構成された磁気素子９０４を含みうる。１つの実施形態では、トラベルケース９００はクラムシェル型構成を有し、閉じた形態において、カバー９０８は、カバー９０８及びベース９１０で形成される空洞内にタブレットデバイス９０２を囲みうる。１つの実施形態では、タブレットデバイス９０２はタブレットデバイス９０２を掴んで取り外すことによって手動で解放されうる。１つの実施形態では、トラベルケース９００は、磁気素子９０４とタブレットデバイス９０２の磁気取り付け特徴部９０６との間の磁気引力に打ち勝ちうる解放機構を含みうる。１つの実施形態では、解放機構は本質的に機械的でありうる。１つの実施形態では、解放機構は本質的に電気機械的であってもよく、トラベルケース９００内の電磁気素子は磁気素子９０４と磁気取り付け特徴部９０６との間の磁気引力に打ち勝つようにエネルギーを与えられうる。
【０１０６】
図２５Ａ及び図２５Ｂは物体９２２の磁気素子９２０とタブレットデバイス９２６の形態をとりうる電子デバイスの磁気取り付け特徴部９２４との間の個別の磁気引力を示す。図２５Ａに示されるように、磁気素子９２０は、起電力を与えるために用いられうる少なくとも１つの電磁気素子を含みうる。起電力は磁気素子９２０と磁気取り付け特徴部９２２との間の正味磁気引力Ｆnetに打ち勝つために用いられうる。起電力は、手又は他の機械的機構を用いずに物体９２２が電子デバイスから分離するようにできる。電磁気素子は遠隔から有効化されてもよいし、電子デバイスを用いて有効化されてもよい。例えば、電子デバイスがタブレットデバイス９３０の形態をとる場合に、ホームボタン９３２が押下されてもよく、それによって電磁気素子が有効化し、結果として磁気取り付け特徴部９２２と磁気素子９２０との間の磁気引力に打ち勝ち、タブレットデバイス９３０がトラベルケース９００から取り外されることを可能にする。
【０１０７】
図２６Ａ〜図２６Ｃは、ホール効果センサのような磁気センサ回路が電子デバイスの動作状態を変えるために用いられうる機構を図示する。特に、図２６ＡはＯＦＦ動作状態のタブレットデバイス１０００を示す。タブレットデバイス１０００はホール効果センサ１００２のような磁気センサ回路を含みうる。１つの実施形態では、タブレットデバイス１０００はまた、光センサデバイス１００４を含みうる。１つの実施形態では、光センサデバイス１００４は環境光センサ（ＡＬＳ）の形態をとりうる。１つの実施形態では、光センサ１００４はカメラのような画像撮像デバイスの形態をとりうる。光センサデバイス１００４はまた、例えば独立に動作するか共同して動作できる環境光センサとカメラとの両方を含みうるセンサ基板に組み込まれたデバイスの任意の組合せの形態をとりうる。
【０１０８】
１つの実施形態では、タブレットデバイス１０００の動作状態は外部磁界Ｈによって変えられうる。１つの実施形態では、外部磁界Ｈは本質的に過渡的であり、外部磁界Ｈが時間で変わりうるか、及び／又は磁界強度で変わりうることを意味する。１つの状況では、外部磁界Ｈは磁気リング１００６のような磁気素子によって生成され、磁気リング１００６は、磁気センサデバイス１００２によって過渡的と知覚されるような非過渡的磁界を生成する。例えば、図２６Ａ〜図２６Ｃに示されるように、磁気リング１００６を左から右へ動かすことによって、ホール効果センサ１００２は、外部磁界Ｈの強度が初期値から始まり、磁気リング１００６がホール効果センサ１００２に近づくにつれて値が大きくなり、その後磁気リング１００６がホール効果センサ１００２から遠ざかるように移動するにつれて再び減少するという点で、本質的に過渡的であるとして外部磁界Ｈを検出できる。磁気リング１００６の移動で与えられる過渡的な外部磁界Ｈの検出の結果として、ホール効果センサ１００６がタブレットデバイス１０００に信号を提供しうる。信号はタブレットデバイス１０００によって解釈され、図２６Ｃに示されるように（ＯＦＦのような）現在の動作状態から（ＯＮのような）別の動作状態へ変わりうる。１つの実施形態では、タブレットデバイス１０００の状態の変化は、ホール効果センサ１００２の近くをリング１００６が２回通ることによって、ホール効果センサ１００２により与えられる信号がタブレットデバイス１０００によって現在の動作状態をＯＮからＯＦＦへ変更するように解釈されうるという点で、本質的にバイナリでありうる。１つの実施形態では、追加の方法でタブレットデバイス１０００の動作状態を変えるために用いられうる追加の入力を与えるように、（ＡＬＣ、環境光センサ又はカメラ１００４のような）追加のセンサが連動して（又は単体で）用いられうる。
【０１０９】
図２７Ａ及び図２７Ｂは磁気で結合された物体のハンズフリー取り外しの個別の実施形態を示す。特に、図２７Ａは第１磁気取り付け特徴部１１０２が第２磁気取り付け特徴部１１０４に磁気で取り付けられた磁気取り付け構成１１００を示す。１つの実施形態では、第１磁気取り付け特徴部１１０２は、外部から印加された電圧（又は電流）が利用可能であるかぎり極性Ｐ１を有する磁界を生成するために例えば電圧源（又は電流源）１１０８によって与えられる、外部印加の電圧（又は電流）に応答する素子１１０６を含みうる。
【０１１０】
１つの実施形態では、電圧又は電流が印加されていない場合に、素子１１０６は実質的にほとんど又はまったく磁束を提供せず、従って、任意の内在磁界のみに基づいて磁気取り付けを支持できない。１つの実施形態では、第２磁気取り付け特徴部１１０４は、第１磁気取り付け特徴部１１０４が第２磁気取り付け特徴部１１０４の近くに配置された場合に磁気素子１１０６にアライメントされ磁気素子１１０６の近くに位置する磁気素子１１１０を含みうる。１つの実施形態では、磁気素子１１１０は、図２７Ｂに示されるように外部電流Ｉ又は外部電圧Ｖが印加された場合に、磁気素子１１１０は素子１１０６の極性と同じ内在極性Ｐ１を有しうる。このようにして、放出力Ｆejectの形態の正味磁気斥力は、電圧Ｖ又は電流Ｉが利用可能である期間の間に素子１１０６と磁気素子１１１０との間に生成されうる。このようにして、サイズ、距離、磁気特性及び電磁気特性を適切に調整することによって、第１磁気取り付け特徴部１１０２及び第２磁気取り付け特徴部１１０４は互いに取り外されうる。例えば、磁気取り付け状態１１００では、磁気素子１１０６への電圧Ｖ又は電流Ｉの印加によって、自動的に又は少なくとも手動の取り外しを必要とせずに、第１磁気取り付け特徴部１１０２及び第２磁気取り付け特徴部１１０４を分離状態１１１２に分離させる放出力Ｆｅｊｅｃｔが生成されうる。
【０１１１】
図２８Ａ及び図２８Ｂは筐体１２０６の外面１２０４での磁束漏れＢを選択的に制御可能な磁気窓１２０２を有する第１磁気取り付け特徴部１２００を示す。１つの実施形態では、磁気窓１２０２は磁性流体１２１０を収容するように構成されたチャネル１２０８で形成されうる。１つの実施形態では、磁性流体１２１０は、磁界の存在において強磁性化しうる液体である強磁性流体（ferrofluid）の形態をとりうる。強磁性流体は本質的に、ナノスケールの強磁性体又はフェリ磁性の粒子が媒体液の有機溶媒又は水に浮遊した液体で形成されたコロイドである。各微粒子は凝縮を防ぐために界面活性剤で完全に被覆される。大きな強磁性粒子は同質のコロイド混合物から奪われ、強磁界に晒された場合に磁性粉塵の別個の凝縮を形成しうる。ナノ粒子の磁気引力は、界面活性剤のファンデルワールス斥力が磁気凝縮を十分に妨げるほど弱い。強磁性流体は通常、外部から印加される場がない場合に磁性を維持しない。
【０１１２】
従って、無効状態（すなわち、式（１）が満たされる）において、磁気取り付け特徴部１２００は、磁性流体１２１０が磁気素子１２１２により生成される磁界と相互作用する筐体１２０６に組み込まれるかこれの近接近にある磁気素子１２１２を含みうる。磁気流体１２１０の磁性は筐体１２０６の外面１２０４での任意の漏れ磁束を防ぎ、よって式（１）を満たすために必要な境界条件を与える。このようにして、外面１２０４での磁気面Ｍ１を与えるために、磁気素子１２１２を移動するための要件が存在しない。１つの実施形態では、磁気窓１２０２はまた、図２８Ｂに示されるように磁性流体１２１０を収容するのに十分なボリュームを与える（１つ以上の）容器１２１４を含みうる。
【０１１３】
１つの実施形態では、第２磁気取り付け特徴部１２１６は磁気素子１２１２を露出するように磁性流体１２１０をチャネル１２０８から１つ又は両方の容器１２１４に移動させうる機構を含みうる。磁気素子１２１２を露出することによって、式（２）を満たす磁気面Ｍ２が与えられうる。１つの実施形態では、磁性流体１２１０を移動するために用いられる機構は、磁気素子１２１の引力に打ち勝つのに十分な強さの磁界強度を有する磁石１２１８の形態をとりうる。このようにして、第１磁気取り付け特徴部１２００の近くに第２磁気取り付け特徴部１２１６を配置することによって、磁気窓１２０２が（式（１）に一致する）閉じた状態から（式（２）に一致する）開いた状態に移行されうる。
【０１１４】
図２９Ａ及び図２９Ｂは保持磁石１３０２の形態の保持機構を有する第１磁気取り付け特徴部１３００を示す。磁石１３０２を与えることによって、有益なスペースが維持されうる。磁石１３０２の強度及びサイズはよく規定されうるので、第２磁気取り付け特徴部１３０６内の有効化した磁石１３０４のサイズ及び強度もよく規定されうる。例えば、第１磁気取り付け特徴部を有効化する（すなわち、式（２）を満たす）ために、磁石１３０８は（磁石１３０２に磁気で取り付けられた）無効位置Ｘ１から有効位置Ｘ２へ移動しなければならない。これは、有効化する磁石１３０４を磁石１３０８の近くに配置することによって実現されうる。１つの実施形態では、磁石１３０２と磁石１３０８との間の磁気引力に打ち勝ち、磁石１３０８が磁石１３０２から取り外されて磁石１３０４の方へ移動し、処理の磁気面Ｍ２を生成する（すなわち式（２）を満たす）ように、磁石１３０４、１３０８の内在磁力が調整されうる。
【０１１５】
図３０Ａ及び図３０Ｂは移動磁石１３０８及び保持磁石１３０２を収容するサイズのチャネル１３１０を有する第１磁気取り付け特徴部１３００の実施形態を示す。１つの実施形態では、移動磁石１３０８とチャネル１３１０の内面との間の潤滑剤（不図示）の存在に起因して移動磁石１３０８はチャネル１３１０内を滑らかにわずかな抵抗で移動できる。
【０１１６】
図３１Ａ〜図３１Ｃは取り付け構成に基づく情報を提供するように構成された図３０Ａ〜図３０Ｂに示される第１磁気取り付け特徴部１３００の別の実施形態を示す。１つの実施形態では、磁石１３０２のうちのすべて又は少なくとも一部は、筐体１２０６の金属によって形成されるシャーシ接地から電気的に分離される。１つの実施形態では、磁石１３０２のうちのすべて又は少なくとも一部は、磁石１３０８が磁石１０３２に取り付けられたかを感知するように構成されたセンサ回路に結合されうる。磁石１３０８が磁石１３０２に取り付けられたことをセンサ回路が感知する場合に、第１論理値（「０」又は「１」の適切な方）が提供されうる。逆に、磁石１３０８が磁石１３０２に取り付けられていないことをセンサ回路が感知する場合に、第１論理値とは異なる第２論理値（「１」又は「０」）が提供されうる。１つの実施形態では、第１論理値及び第２論理値の形態の情報は磁気取り付け状態を識別するために用いられうる。１つの実施形態では、取り付け状態は磁気で取り付けられた物体を識別できる（図３２に示される表１を参照）。１つの実施形態では、取り付け状態に対応する取り付け情報は、タブレットデバイス１０００のような電子デバイスの動作状態を変えるために用いられうる。例えば、表１で与えられる情報を用いて、センサ回路がスタイラスに対応するデータ｛１，０，０，０，０，１｝を感知するならば、タブレットデバイス１０００は現在の動作状態を、タッチスクリーン又はディスプレイ上のスタイラスを感知することに一致する状態に変えうる。
【０１１７】
図３２Ａ及び図３２Ｂは図３１Ａ〜図３１Ｃに示される第１取り付け特徴部１３００の特定の実施形態を示す。１つの実施形態では、保持磁石１３０２は筐体１０２から電気的に分離されてもよく、センサ回路への線１３２２を介して電気的に接続された電気接点１３２０を含みうる。見て取れるように、保持磁石１３０２が移動磁石１３０８に取り付けられていない場合に、センサ回路とシャーシ接地との間に電気経路が存在せず、従って実質的に何も電流が流れず、これは第２論理状態に対応する。他方、図３２Ｂに示されるように、移動磁石１３０８が保持磁石１３０２に、より具体的には電気接点１３２０に接触している場合に、電流経路１３２６が与えられ、電流Ｉがシャーシ接地へ／シャーシ接地から流れることを可能にする。図３３は個別の動作磁気コード及び動作状態の表を示す。
【０１１８】
図３４は電子デバイスによって利用される機能モジュールの構成１６００のブロック図である。電子デバイスは例えばタブレットデバイス１５００でありうる。構成１６００は、ポータブルメディアデバイスのユーザにメディアを出力できるが、データストレージ１６０４にデータを格納して読み出すこともできる電子デバイス１６０２を含む。構成１６００はまた、グラフィカルユーザインタフェース（ＧＵＩ）マネージャ１６０６を含む。ＧＵＩマネージャ１６０６は、ディスプレイデバイスへ提供されて表示される情報を制御するように動作する。構成１６００はまた、ポータブルメディアデバイスとアクセサリデバイスとの間の通信を容易にする通信モジュール１６０８を含む。さらに、構成１６００は、ポータブルメディアデバイスに結合されうるアクセサリデバイスを認証し、これからデータを取得するように動作するアクセサリマネージャ１６１０を含む。
【０１１９】
図３５は記載された実施形態とともに使用するのに適した電子デバイス１６５０のブロック図である。電子デバイス１６５０は個別のコンピューティングデバイスの回路を説明する。電子デバイス１６５０は、電子デバイス１６５０の動作全体を制御するためのマイクロプロセッサ又はコントローラに関連するプロセッサ１６５２を含む。電子デバイス１６５０はメディアアイテムに関連するメディアデータをファイルシステム１６５４又はキャッシュ１６５６に格納する。ファイルシステム１６５４は、典型的に、ストレージディスク又は複数のディスクである。ファイルシステム１６５４は典型的に、電子デバイス１６５０に大容量ストレージ能力を提供する。しかしながら、ファイルシステム１６５４へのアクセス時間は比較的遅いので、電子デバイス１６５０はまた、キャッシュ１６５６を含みうる。キャッシュ１６５６は例えば半導体メモリで与えられるランダムアクセスメモリ（ＲＡＭ）である。キャッシュ１６５６への相対アクセス時間はファイルシステム１６５４よりも実質的に短い。しかしながら、キャッシュ１６５６はファイルシステム１６５４の大記憶容量を有しない。さらに、ファイルシステム１６５４は、起動中に、キャッシュ１６５６よりも多くの電力を消費する。電子デバイス１６５０がバッテリ１６７４により給電されるポータブルメディアデバイスである場合に、電力消費が懸念される場合がある。電子デバイス１６５０はまた、ＲＡＭ１６７０及びリードオンリメモリ（ＲＯＭ）１６７２を含みうる。ＲＯＭ１６７２は実行されるプログラム、ユーティリティ又はプロセスを不揮発に格納できる。ＲＡＭ１６７０はキャッシュ１６５６のためのような揮発データストレージを提供する。
【０１２０】
電子デバイス１６５０はまた、電子デバイス１６５０のユーザが電子デバイス１６５０と相互作用することを可能にするユーザ入力デバイス１６５８を含む。例えば、ユーザ入力デバイス１６５８は、ボタン、キーパッド、ダイアル、タッチスクリーン、オーディオ入力インタフェース、ビジュアル／画像撮像入力インタフェース、センサデータの形態の入力などのような様々な形態をとりうる。さらに、電子デバイス１６５０はユーザに情報を表示するためにプロセッサ１６５２によって制御されうるディスプレイ１６６０（スクリーンディスプレイ）を含む。データバス１６６６は少なくともファイルシステム１６５４、キャッシュ１６５６、プロセッサ１６５２及びＣＯＤＥＣ１６６３間のデータ転送を容易にしうる。
【０１２１】
１つの実施形態では、電子デバイス１６５０はファイルシステム１６５４に複数のメディアアイテム（例えば、楽曲、ポッドキャスト等）を格納する機能を有する。電子デバイスに特定のメディアアイテムを再生させることをユーザが望む場合に、利用可能なメディアアイテムのリストがディスプレイ１６６０に表示される。その後、ユーザ入力デバイス１６５８を用いて、ユーザは利用可能なメディアアイテムのうちの１つを選択できる。プロセッサ１６５２は、特定のメディアアイテムの選択を受信したことに応じて、特定のメディアアイテムについてのメディアデータ（例えば、オーディオファイル）をコーダ／エンコーダ（ＣＯＤＥＣ）１６６３に供給する。ＣＯＤＥＣ１６６３はその後、スピーカ１６６４のためのアナログ出力信号を生成する。スピーカ１６６４は電子デバイス１６５０の内部のスピーカであってもよいし、電子デバイス１６５０の外部のスピーカであってもよい。例えば、電子デバイス１６５０に接続するヘッドフォン又はイヤフォンは外部スピーカとみなされるだろう。
【０１２２】
電子デバイス１６５０はまた、データリンク１６６２に結合するネットワーク／バスインタフェース１６６１を含む。データリンク１６６２は、電子デバイス１６５０がホストコンピュータ又はアクセサリデバイスに結合することを可能にする。データリンク１６６２は、有線接続又は無線接続を介して提供されうる。無線接続の場合に、ネットワーク／バスインタフェース１６６１は無線送受信機を含みうる。メディアアイテム（メディアアセット）は、１つ以上の異なるタイプのメディアコンテンツに関連しうる。１つの実施形態では、メディアアイテムはオーディオトラック（例えば、楽曲、オーディオブック及びポッドキャスト）である。別の実施形態では、メディアアイテムは画像（例えば、写真）である。しかしながら、他の実施形態では、メディアアイテムはオーディオ、グラフィック又は視覚コンテンツの任意の組合せでありうる。センサ１６７６は任意の回数の刺激を検出するための回路の形態をとりうる。例えば、センサ１６７６は、外部磁界に応答するホール効果センサ、オーディオセンサ、光度計のような光センサなどを含みうる。
【０１２３】
記載された実施形態の様々な側面、実施形態、実装又は特徴は別個に用いられてもよいし、任意の組合せで用いられてもよい。記載された実施形態の様々な側面は、ソフトウェア、ハードウェア又はハートウェアとソフトウェアとの組み合わせによって実装されうる。記載された実施形態はまた、過渡的でないコンピュータ読取可能な媒体上のコンピュータ読取可能なコードとして実施されうる。コンピュータ読取可能な媒体は、データを格納できる任意のデータストレージデバイスとして規定され、データはその後コンピュータシステムによって読み出されうる。コンピュータ読取可能な媒体の例は、リードオンリメモリ、ランダムアクセスメモリ、ＣＤ−ＲＯＭ、ＤＶＤ、磁気テープ及び光データストレージデバイスを含む。コンピュータ読取可能な媒体はまた、コンピュータ読取可能なコードが分散して格納され実行されるように、ネットワーク結合されたコンピュータシステムに分散されうる。
【０１２４】
上述の記載は、説明を目的として、記載された実施形態の完全な理解を提供するために特定の用語を用いた。しかしながら、記載された実施形態を実施するために特定の詳細が必要とならないことが当業者に明らかであろう。よって、本明細書に記載された特定の実施形態の上述の説明は、説明及び記載の目的で提示される。これらは排他的であることを目的とせず、開示された形態そのものに実施形態を限定することを目的としない。上記の教示の観点から多くの修正及び変形が可能であることが当業者に明らかであろう。
【０１２５】
記載された実施形態の利点は多数ある。異なる側面、実施形態又は実装は以下の利点のうちの１つ以上を与えうる。本実施形態の多くの特徴及び利点は明細書から明らかであり、よって、本発明のこのような特徴及び利点のすべてをカバーすることが添付の特許請求の範囲によって意図される。さらに、数多くの修正及び変更が当業者に容易に思いつくので、実施形態は説明され記載された正確な構造及び動作に限定されるべきではない。よって、すべての適切な修正及び均等物が特許請求の範囲に含まれるとみなされる。
【図１】
2015111427.tif 000003
【図２Ａ】
2015111427.tif 000004
【図２Ｂ】
2015111427.tif 000005
【図３Ａ】
2015111427.tif 000006
【図３Ｂ】
2015111427.tif 000007
【図４Ａ】
2015111427.tif 000008
【図４Ｂ】
2015111427.tif 000009
【図５Ａ】
2015111427.tif 000010
【図５Ｂ】
2015111427.tif 000011
【図６Ａ】
2015111427.tif 000012
【図６Ｂ】
2015111427.tif 000013
【図７Ａ】
2015111427.tif 000014
【図７Ｂ】
2015111427.tif 000015
【図８Ａ】
2015111427.tif 000016
【図８Ｂ】
2015111427.tif 000017
【図８Ｃ】
2015111427.tif 000018
【図９】
2015111427.tif 000019
【図１０】
2015111427.tif 000020
【図１１Ａ】
2015111427.tif 000021
【図１１Ｂ】
2015111427.tif 000022
【図１２Ａ】
2015111427.tif 000023
【図１２Ｂ】
2015111427.tif 000024
【図１２Ｃ】
2015111427.tif 000025
【図１３】
2015111427.tif 000026
【図１４Ａ】
2015111427.tif 000027
【図１４Ｂ】
2015111427.tif 000028
【図１５】
2015111427.tif 000029
【図１６】
2015111427.tif 000030
【図１７】
2015111427.tif 000031
【図１８Ａ】
2015111427.tif 000032
【図１８Ｂ】
2015111427.tif 000033
【図１８Ｃ】
2015111427.tif 000034
【図１８Ｄ】
2015111427.tif 000035
【図１９Ａ】
2015111427.tif 000036
【図１９Ｂ】
2015111427.tif 000037
【図２０Ａ】
2015111427.tif 000038
【図２０Ｂ】
2015111427.tif 000039
【図２０Ｃ】
2015111427.tif 000040
【図２０Ｄ】
2015111427.tif 000041
【図２０Ｅ】
2015111427.tif 000042
【図２０Ｆ】
2015111427.tif 000043
【図２１Ａ】
2015111427.tif 000044
【図２１Ｂ】
2015111427.tif 000045
【図２２Ａ】
2015111427.tif 000046
【図２２Ｂ】
2015111427.tif 000047
【図２３Ａ】
2015111427.tif 000048
【図２３Ｂ】
2015111427.tif 000049
【図２３Ｃ】
2015111427.tif 000050
【図２３Ｄ】
2015111427.tif 000051
【図２３Ｅ】
2015111427.tif 000052
【図２３Ｆ】
2015111427.tif 000053
【図２３Ｇ】
2015111427.tif 000054
【図２３Ｈ】
2015111427.tif 000055
【図２４】
2015111427.tif 000056
【図２５Ａ】
2015111427.tif 000057
【図２５Ｂ】
2015111427.tif 000058
【図２６Ａ】
2015111427.tif 000059
【図２６Ｂ】
2015111427.tif 000060
【図２６Ｃ】
2015111427.tif 000061
【図２７Ａ】
2015111427.tif 000062
【図２７Ｂ】
2015111427.tif 000063
【図２８Ａ】
2015111427.tif 000064
【図２８Ｂ】
2015111427.tif 000065
【図２９Ａ】
2015111427.tif 000066
【図２９Ｂ】
2015111427.tif 000067
【図３０Ａ】
2015111427.tif 000068
【図３０Ｂ】
2015111427.tif 000069
【図３１Ａ】
2015111427.tif 000070
【図３１Ｂ】
2015111427.tif 000071
【図３１Ｃ】
2015111427.tif 000072
【図３２Ａ】
2015111427.tif 000073
【図３２Ｂ】
2015111427.tif 000074
【図３３】
2015111427.tif 000075
【図３４】
2015111427.tif 000076
【図３５】
2015111427.tif 000077
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
アクセサリユニットであって、
ホストデバイスに磁気で取り付けられるように構成された磁気取り付けユニットと、
前記ホストデバイスと前記アクセサリユニットとが互いに磁気で取り付けられた場合に前記ホストデバイスと通信するように構成された電子回路とを備え、
前記電子回路は、前記ホストデバイスに、前記ホストデバイスに前記アクセサリユニットを磁気で取り付ける前に対応する動作状態を、前記ホストデバイスに磁気で取り付けられている前記アクセサリユニットに対応する動作状態に変えさせることを特徴とするアクセサリユニット。
【請求項２】
前記ホストデバイスはタブレットコンピュータであることを特徴とする請求項１に記載のアクセサリユニット。
【請求項３】
前記アクセサリユニットは機械式情報ツールを有することを特徴とする請求項２に記載のアクセサリユニット。
【請求項４】
前記機械式情報ツールはスタイラスであることを特徴とする請求項３に記載のアクセサリユニット。
【請求項５】
前記スタイラスが前記ホストデバイスに磁気で取り付けられた場合、前記タブレットコンピュータの動作状態は、エンドユーザが前記スタイラスを前記タブレットコンピュータに当てることに応答するように構成されたスタイラス入力認識モードに変更されることを特徴とする請求項４に記載のアクセサリユニット。
【請求項６】
前記機械式情報ツールはキーボードであることを特徴とする請求項３に記載のアクセサリユニット。
【請求項７】
前記磁気取り付けユニットは、前記ホストデバイスの対応する磁気取り付けユニットを磁気取り付けに適さない無効状態から磁気取り付けに適した状態にする有効化力を与えるように構成された磁石を有し、
前記有効化した磁気取り付けユニットの間に生成された磁気取り付け力の結果として、前記アクセサリユニットと前記ホストデバイスとが単独の電子デバイスとして共に動作可能になることを特徴とする請求項１から６のいずれか１項に記載のアクセサリユニット。
【請求項８】
第１電子デバイスと第２電子デバイスとの間の通信チャネルと、データ処理リソースとを与えるように構成された電子回路と、
データを格納するように構成されたデータストレージユニットとを更に有することを特徴とする請求項７に記載のアクセサリユニット。
【請求項９】
前記アクセサリユニットと前記ホストデバイスとの間の通信チャネルを少なくとも与えるように構成された電子回路と、
データを格納するように構成されたデータストレージユニットとを更に有することを特徴とする請求項７に記載のアクセサリユニット。
【請求項１０】
前記データストレージユニットは、前記データ処理リソースによって実行されるプログラムコードを格納することを特徴とする請求項８または９に記載のアクセサリユニット。
【請求項１１】
前記単独の電子デバイスは電子書籍であることを特徴とする請求項７に記載のアクセサリユニット。
【請求項１２】
前記スタイラスは、前記データストレージユニットに格納されたデータを変更するために用いられることを特徴とする請求項１１に記載のアクセサリユニット。
【外国語明細書】
2015111427000001.pdf